(57)【特許請求の範囲】
【請求項１】
少なくとも１つのプロセッサと、コンピュータプログラムコードを備える少なくとも１つのメモリとを備える装置であって、前記コンピュータプログラムコードは、前記プロセッサに実行されると、前記装置に少なくとも：
非屈曲表示領域と他の非屈曲表示領域との間に屈曲表示領域を備えるフレキシブル表示装置が閉じた構成で構成されていることを決定すること；
前記非屈曲表示領域に、前記他の非屈曲表示領域に対して非オーバーラップである非オーバーラップ領域が存在することを決定すること；
通知を表示させることを決定すること；
前記通知を表示するために、前記非オーバーラップ領域を利用すること；
を実行させるように構成され、ただし、前記非屈曲表示領域および前記他の非屈曲表示領域は、屈曲しない表示装置により構成されている、装置。
【請求項２】
前記非オーバーラップ領域は、前記非屈曲表示領域が前記他の非屈曲表示領域に対して斜めに重なっていることにより生じさせられる、請求項１に記載の装置。
【請求項３】
前記閉じた構成が、前記屈曲表示領域が屈曲し、かつ前記非屈曲表示領域の少なくとも一部と前記他の非屈曲表示領域の少なくとも一部との間にスパンが存在するような構成に関する、請求項１または２に記載の装置。
【請求項４】
前記フレキシブル表示装置の視野角に少なくとも部分的に基づいて、更なる通知表示領域を決定し、
前記更なる通知表示領域に別の通知を表示するように構成される、請求項１から３のいずれかに記載の装置であって、前記表示される前記別の通知の表現が、少なくとも部分的に前記フレキシブル表示装置の視野角に基づいたものである、装置。
【請求項５】
前記フレキシブル表示装置の湾曲度に少なくとも部分的に基づいて、更なる通知表示領域を決定し、
前記更なる通知表示領域に別の通知を表示するように構成される、請求項１から３のいずれかに記載の装置であって、前記表示される前記別の通知の表現が、少なくとも部分的に前記フレキシブル表示装置の湾曲度に基づいたものである、装置。
【請求項６】
前記フレキシブル表示装置を備える、請求項１〜５の何れか１項に記載の装置。
【請求項７】
コンピュータ装置の処理手段がプログラム命令を実行することにより、前記コンピュータ装置が遂行する方法であって、
非屈曲表示領域と他の非屈曲表示領域との間に屈曲表示領域を備えるフレキシブル表示装置が閉じた構成で構成されていることを決定すること；
前記非屈曲表示領域に、前記他の非屈曲表示領域に対して非オーバーラップである非オーバーラップ領域が存在することを決定すること；
通知を表示させることを決定すること；
前記通知を表示するために、前記非オーバーラップ領域を利用すること；
を含み、ただし、前記非屈曲表示領域および前記他の非屈曲表示領域は、屈曲しない表示装置により構成されている、方法。
【請求項８】
前記非オーバーラップ領域は、前記非屈曲表示領域が前記他の非屈曲表示領域に対して斜めに重なっていることにより生じさせられる、請求項７に記載の方法。
【請求項９】
前記閉じた構成が、前記屈曲表示領域が屈曲し、かつ前記非屈曲表示領域の少なくとも一部と前記他の非屈曲表示領域の少なくとも一部との間にスパンが存在するような構成に関する、請求項７または８に記載の方法。
【請求項１０】
前記フレキシブル表示装置の視野角に少なくとも部分的に基づいて、更なる通知表示領域を決定することと；
前記更なる通知表示領域に別の通知を表示することと；
を更に含み、前記表示される前記別の通知の表現が、少なくとも部分的に前記フレキシブル表示装置の視野角に基づいたものである、請求項７から９の何れか１項に記載の方法。
【請求項１１】
前記フレキシブル表示装置の湾曲度に少なくとも部分的に基づいて、更なる通知表示領域を決定することと；
前記更なる通知表示領域に別の通知を表示することと；
を更に含み、前記表示される前記別の通知の表現が、少なくとも部分的に前記フレキシブル表示装置の湾曲度に基づいたものである、請求項７から９の何れか１項に記載の方法。
【請求項１２】
コンピュータ装置の処理手段に実行されると、前記コンピュータ装置に、請求項７〜１１のいずれかに記載の方法を遂行させるように構成されるプログラム命令を備える、コンピュータプログラム。
【発明の詳細な説明】
【技術分野】
【０００１】
本願は、一般に、通知を表示させることに関する。
【背景】
【０００２】
多くのユーザが、自身の生活の様々な側面を管理するのに電子装置に依存するようになっている。例えば、多くのユーザは、電子装置上のカレンダープログラムに自身の約束、ミーティング及びその他イベントの多くを記録する。加えて、多くのユーザは、連絡及びメッセージの送受信に電子装置を利用している。このような電子装置は例えば、通知を表示し得る。
【摘要】
【０００３】
本発明の例の各種態様が特許請求の範囲に記載されている。
【０００４】
１又は複数の実施形態によれば、非屈曲表示領域と反対側の非屈曲表示領域との間に屈曲表示領域を備えるフレキシブル表示装置が閉じた構成で構成されていることを決定し、通知を表示させることを決定し、少なくとも部分的に前記閉じた構成に基づいて通知表示領域を決定し、並びに前記通知表示領域に前記通知の表現を表示させるための装置、コンピュータ可読媒体、非一時的コンピュータ可読媒体、コンピュータプログラム製品及び方法が提供され得る。
【０００５】
１又は複数の実施形態によれば、非屈曲表示領域と反対側の非屈曲表示領域との間に屈曲表示領域を備えるフレキシブル表示装置が閉じた構成で構成されていることを決定するための手段と、通知を表示させることを決定するための手段と、少なくとも部分的に前記閉じた構成に基づいて通知表示領域を決定するための手段と、前記通知表示領域に前記通知の表現を表示させるための手段と、を備える、装置、コンピュータ可読媒体、コンピュータプログラム製品及び非一時的コンピュータ可読媒体が提供され得る。
【０００６】
１又は複数の実施形態によれば、非屈曲表示領域と反対側の非屈曲表示領域との間に屈曲表示領域を備えるフレキシブル表示装置が閉じた構成で構成されており、その結果、前記非屈曲表示領域が、該非屈曲表示領域の少なくとも一部と相関する少なくとも１つの非オーバーラップ表示領域を備えることを決定し、但し、前記非屈曲表示領域の少なくとも一部は、前記反対側の非屈曲表示領域に対して非オーバーラップである、通知を表示させることを決定し、少なくとも部分的に前記非オーバーラップ領域に基づいて通知表示領域を決定し、並びに前記通知表示領域に前記通知の表現を表示させるための装置、コンピュータ可読媒体、非一時的コンピュータ可読媒体、コンピュータプログラム製品及び方法が提供され得る。
【０００７】
１又は複数の実施形態によれば、非屈曲表示領域と反対側の非屈曲表示領域との間に屈曲表示領域を備えるフレキシブル表示装置が閉じた構成で構成されており、その結果、前記非屈曲表示領域が、該非屈曲表示領域の少なくとも一部と相関する少なくとも１つの非オーバーラップ表示領域を備えることを決定するための手段と、但し、前記非屈曲表示領域は、前記反対側の非屈曲表示領域に対して非オーバーラップである、通知を表示させることを決定するための手段と、少なくとも部分的に前記非オーバーラップ領域に基づいて通知表示領域を決定するための手段と、前記通知表示領域に前記通知の表現を表示させるための手段と、を有する装置、コンピュータ可読媒体、コンピュータプログラム製品及び非一時的コンピュータ可読媒体が提供され得る。
【０００８】
少なくとも１つの例示実施形態においては、前記閉じた構成が、前記屈曲表示領域が屈曲し、かつ前記非屈曲表示領域の少なくとも一部と前記反対側の非屈曲表示領域の少なくとも一部との間にスパンが存在するような構成に関する。
【０００９】
少なくとも１つの例示実施形態においては、前記フレキシブル表示装置が閉じた構成で構成されていることについての決定は、少なくとも部分的に、前記屈曲表示領域の湾曲度、近接センサー情報、又は光センサー情報のうちの少なくとも１つに基づいたものである。
【００１０】
少なくとも１つの例示実施形態においては、前記フレキシブル表示装置は、前記閉じた構成が視認可能表示領域に視認開口部を提供するように構成されている。
【００１１】
少なくとも１つの例示実施形態においては、前記視認可能表示領域は、前記通知表示領域と少なくとも部分的に一致している。
【００１２】
少なくとも１つの例示実施形態においては、前記フレキシブル表示装置は、前記非屈曲表示領域と前記反対側の非屈曲表示領域とが互いに対向するように構成されている。
【００１３】
少なくとも１つの例示実施形態においては、前記フレキシブル表示装置は、屈曲境界と反対側の屈曲境界との間の距離が非屈曲端と反対側の非屈曲端との間の距離より大きいか又は同距離と等しくなるように構成されている。
【００１４】
少なくとも１つの例示実施形態においては、前記屈曲境界は前記屈曲表示領域と前記非屈曲表示領域との間の境界に関するものである。
【００１５】
少なくとも１つの例示実施形態においては、前記反対側の屈曲境界は前記屈曲表示領域と前記反対側の非屈曲表示領域との間の境界に関する。
【００１６】
少なくとも１つの例示実施形態においては、前記非屈曲端は前記屈曲境界の反対側にある前記非屈曲表示領域の端に関するものである。
【００１７】
少なくとも１つの例示実施形態においては、前記反対側の非屈曲端は前記反対側の屈曲境界の反対側にある前記反対側の非屈曲表示領域の端に関するものである。
【００１８】
少なくとも１つの例示実施形態においては、前記非屈曲端と前記反対側の非屈曲端とは屈曲できるように構成されている。
【００１９】
少なくとも１つの例示実施形態においては、前記非屈曲端と前記反対側の非屈曲端とは屈曲しないように構成されている。
【００２０】
１又は複数の実施形態は、前記フレキシブル表示装置の構成が開いた構成に変化したことを決定することを更に実行する。
【００２１】
少なくとも１つの例示実施形態においては、前記フレキシブル表示装置の構成が開いた構成に変化したことについての決定は、少なくとも部分的に、前記屈曲表示領域の湾曲度、近接センサー情報、又は光センサー情報のうちの少なくとも１つに基づく。
【００２２】
少なくとも１つの例示実施形態においては、前記開いた構成は、屈曲境界と反対側の屈曲境界との間の距離が非屈曲端と反対側の非屈曲端との間の距離より小さくなるような構成に関する。
【００２３】
１又は複数の例示実施形態は、少なくとも部分的に前記開いた構成に基づいて前記通知表示領域の修正を生じさせることを更に実行する。
【００２４】
１又は複数の例示実施形態は、少なくとも部分的に、前記フレキシブル表示装置の構成が開いた構成に変化したという決定に基づいて前記通知表示領域の修正を生じさせることを更に実行する。
【００２５】
少なくとも１つの例示実施形態においては、前記通知の表現は少なくとも部分的にフレキシブル表示装置の視野角に基づいたものである。
【００２６】
少なくとも１つの例示実施形態においては、前記通知の表現は前記通知の視野角補正変換に関する。
【００２７】
少なくとも１つの例示実施形態においては、前記通知の視野角補正変換は、曲線変換、直線変換、伸長変換、傾斜変換（skewing transformation）、又は非直線変換のうちの少なくとも１つに関する。
【００２８】
少なくとも１つの例示実施形態においては、前記視野角補正変換は少なくとも部分的に前記フレキシブル表示装置の方向に基づくものである。
【００２９】
少なくとも１つの例示実施形態においては、前記視野角補正変換は、少なくとも部分的に、前記フレキシブル表示装置に対する視認者の視線に基づくものである。
【００３０】
少なくとも１つの例示実施形態においては、前記視認者の視線は、少なくとも部分的に、視線追跡情報、顔認識情報、又は所定の視認者視線情報に基づくものである。
【００３１】
１又は複数の例示実施形態は、前記フレキシブル表示装置の視野角の決定をさらに実行するものである。
【００３２】
少なくとも１つの例示実施形態においては、前記通知の表現は少なくとも部分的にフレキシブル表示装置の湾曲度に基づくものである。
【００３３】
少なくとも１つの例示実施形態においては、前記通知の表現は前記通知の湾曲度補正変換に関するものである。
【００３４】
少なくとも１つの例示実施形態においては、前記通知の湾曲度補正変換は、曲線変換、直線変換、伸長変換、傾斜変換（skewing transformation）、又は非直線変換のうちの少なくとも１つに関するものである。
【００３５】
少なくとも１つの例示実施形態においては、前記湾曲補正変換は少なくとも部分的に前記屈曲表示領域の湾曲度に基づくものである。
【００３６】
１又は複数の例示実施形態は、前記フレキシブル表示装置の湾曲度の決定をさらに実行する。
【００３７】
少なくとも１つの例示実施形態においては、前記通知の表現は、少なくとも部分的にフレキシブル表示装置の視野角及びフレキシブル表示装置の湾曲度に基づくものである。
【００３８】
少なくとも１つの例示実施形態においては、前記通知表示領域は少なくとも部分的にフレキシブル表示装置の視野角に基づくものである。
【００３９】
少なくとも１つの例示実施形態においては、前記通知表示領域は前記通知の視野角補正変換に関するものである。
【００４０】
少なくとも１つの例示実施形態においては、前記通知表示領域は少なくとも部分的にフレキシブル表示装置の湾曲度に基づくものである。
【００４１】
少なくとも１つの例示実施形態においては、前記通知表示領域は前記通知の湾曲補正変換に関するものである。
【００４２】
少なくとも１つの例示実施形態においては、前記通知表示領域は少なくとも部分的にフレキシブル表示装置の視野角及びフレキシブル表示装置の湾曲度に基づくものである。
【００４３】
少なくとも１つの例示実施形態においては、前記通知表示領域の位置は少なくとも部分的にフレキシブル表示装置の視野角に基づくものである。
【００４４】
少なくとも１つの例示実施形態においては、前記通知表示領域の位置は前記通知の視野角補正変換に関するものである。
【００４５】
少なくとも１つの例示実施形態においては、前記通知表示領域の位置は少なくとも部分的にフレキシブル表示装置の湾曲度に基づくものである。
【００４６】
少なくとも１つの例示実施形態においては、前記通知表示領域の位置は前記通知の湾曲補正変換に関するものである。
【００４７】
少なくとも１つの例示実施形態においては、前記通知表示領域の位置は少なくとも部分的にフレキシブル表示装置の視野角及びフレキシブル表示装置の湾曲度に基づくものである。
【００４８】
少なくとも１つの例示実施形態においては、前記通知表示領域の形状は少なくとも部分的にフレキシブル表示装置の視野角に基づくものである。
【００４９】
少なくとも１つの例示実施形態においては、前記通知表示領域の形状は前記通知の視野角補正変換に関するものである。
【００５０】
少なくとも１つの例示実施形態においては、前記通知表示領域の形状は少なくとも部分的にフレキシブル表示装置の湾曲度に基づくものである。
【００５１】
少なくとも１つの例示実施形態においては、前記通知表示領域の形状は前記通知の湾曲補正変換に関するものである。
【００５２】
少なくとも１つの例示実施形態においては、前記通知表示領域の形状は少なくとも部分的にフレキシブル表示装置の視野角及びフレキシブル表示装置の湾曲度に基づくものである。
【００５３】
少なくとも１つの例示実施形態においては、前記通知を生じさせることを決定することは、少なくとも部分的に、前記通知に関連するイベントの発生に基づくものである。
【００５４】
少なくとも１つの例示実施形態においては、前記通知は前記イベントを示す。
【００５５】
１又は複数の例示実施形態は、前記フレキシブル表示装置が異なる閉じた構成で構成されており、その結果、前記非屈曲表示領域が、該非屈曲表示領域の少なくとも一部と相関する少なくとも１つの非オーバーラップ表示領域を含むことを決定すること、但し、前記非屈曲表示領域の少なくとも一部は、前記反対側の非屈曲表示領域に対して非オーバーラップである、別の通知を表示させることを決定すること、少なくとも部分的に前記非オーバーラップ領域に基づいて異なる通知表示領域を決定すること、前記異なる通知表示領域に前記他の通知の異なる表現を表示させることを更に実行する。
【００５６】
少なくとも１つの例示実施形態においては、前記他の通知は前記通知に対応するものである。
【００５７】
少なくとも１つの例示実施形態においては、前記他の通知は前記通知と異なるものである。
【００５８】
少なくとも１つの例示実施形態においては、非屈曲表示領域が前記反対側の非屈曲表示領域とオーバーラップしていないということは、前記反対側の非屈曲表示領域と交わらない幾何学的法線を有する前記非屈曲表示領域の一部が存在することに関する。
【００５９】
少なくとも１つの例示実施形態においては、前記フレキシブル表示装置が異なる閉じた構成で構成されていることについての決定は、少なくとも部分的に、前記屈曲表示領域の湾曲度、近接センサー情報、又は光センサー情報の少なくとも１つに基づくものである。
【００６０】
本発明実施形態のより完全な理解のため、以下に添付の図面と共に以下に説明をする。
【図面の簡単な説明】
【００６１】
【図１】図１は、例示実施形態による装置を示すブロック図である。
【図２】図２Ａ〜２Ｂは、少なくとも１つの例示実施形態によるフレキシブル表示装置を示す図である。
【図３】図３Ａ〜３Ｃは、少なくとも１つの例示実施形態によるフレキシブル表示装置の構成を示す図である。
【図４】図４Ａ〜４Ｂは、少なくとも１つの例示実施形態によるフレキシブル表示装置の視野角を示す図である。
【図５ＡＢ】図５Ａ〜５Ｂは、少なくとも１つの例示実施形態によるフレキシブル表示装置の構成を示す図である。
【図５ＣＤ】図５Ｃ〜５Ｄは、少なくとも１つの例示実施形態によるフレキシブル表示装置の構成を示す図である。
【図６】図６Ａ〜６Ｆは、少なくとも１つの例示実施形態による通知の表現を示す図である。
【図７】図７は、少なくとも１つの例示実施形態による通知を表示させることに関連する作業を図示するフロー図である。
【図８】図８は、少なくとも１つの例示実施形態による通知を表示させることに関連する作業を図示するフロー図である。
【図９】図９は、少なくとも１つの例示実施形態による通知を表示させることに関連する作業を図示するフロー図である。
【図１０】図１０は、少なくとも１つの例示実施形態による通知を表示させることに関連する作業を図示するフロー図である。
【図１１】図１１は、少なくとも１つの例示実施形態による通知を表示させることに関連する作業を図示するフロー図である。
【図１２ＡＢ】図１２Ａ〜１２Ｂは、少なくとも１つの例示実施形態によるフレキシブル表示装置の構成を示す図である。
【図１２ＣＤ】図１２Ｃ〜１２Ｄは、少なくとも１つの例示実施形態によるフレキシブル表示装置の構成を示す図である。
【図１３】図１３は、少なくとも１つの例示実施形態による通知を表示させることに関連する作業を図示するフロー図である。
【図１４】図１４は、少なくとも１つの例示実施形態による通知を表示させることに関連する作業を図示するフロー図である。
【実施例の詳細説明】
【００６２】
本発明の実施形態及びその潜在的な有利な点が、図面における図１〜１４を参照することによって理解される。
【００６３】
以下、いくつかの実施形態を添付の図面を参照してより詳細に説明する。添付の図面においては全てではない、いくつかの実施形態が示されている。本発明の各種実施形態は多数の異なる形態において具体化され得るものであり、本明細書に記載される実施形態に限定されるものとして解釈してはならない。より正確には、それらの実施形態は、本開示が、適用され得る法律上の要件を満たすように提供されるものである。類似の参照番号は全体を通して類似の要素を指している。本明細書において、「データ」、「コンテンツ」、「情報」及びこれらに類似の用語は、本発明の実施形態に従って送信され、受信され及び／又は保存されることが可能なデータを指すのに同じ意味で用いられ得る。したがって、このような用語の何れの使用も、本発明の実施形態の要旨ないし範囲を限定するものとして理解されてはならない。
【００６４】
加えて、本願において、「回路」という用語は、（ａ）ハードウェアのみの回路（hardware-only circuit）の実装（例えば、アナログ回路及び／又はデジタル回路における実装）、（ｂ）共に動作することにより、本明細書に記載される１又は複数の機能を装置に実行させる１又は複数のコンピュータ可読メモリに記憶されたソフトウェア及び／又はファームウェアの命令を備えるコンピュータプログラム製品（単数又は複数）と回路との組合せ、並びに（ｃ）ソフトウェア又はファームウェアが物理的に存在しない場合であっても、動作のためにソフトウェア又はファームウェアを必要とするマイクロプロセッサ（単数又は複数）又はマイクロプロセッサ（単数又は複数）の一部等の回路を指す。「回路」のこの定義は、特許請求の範囲すべてを含め本願においてこの用語を使用する場合全てに適用される。更に別の例として、本願において「回路」という用語は、１又は複数のプロセッサ及び／又はその部分（単数又は複数）並びにそれに付随するソフトウェア及び／又はファームウェアを備えた実装も含む。別の例として、本願において「回路」という用語は、例えば、携帯電話のためのベースバンド集積回路（baseband integrated circuit）若しくはアプリケーションプロセッサ集積回路（applications processor integrated circuit）又はサーバー、セルラーネットワーク装置、その他ネットワーク装置及び／若しくはその他コンピュータ装置における類似の集積回路も含む。
【００６５】
本願において定義される通り、物理媒体（例えば、揮発性メモリデバイス又は不揮発性メモリデバイス）を指す「非一時的コンピュータ可読媒体」は、電磁信号を指す「一時的コンピュータ可読媒体」から区別され得る。
【００６６】
図１は、少なくとも１つの例示実施形態による電子装置１０等の装置を示すブロック図である。しかしながら、図示され、以下に記載される電子装置は、本発明の実施形態から利益を享受し得る電子装置の単なる例示であることを理解すべきであり、したがって、本発明の範囲を限定するものとして受け取ってはならない。電子装置１０が、例示目的で図示され、以下に説明されるが、他のタイプの電子装置も、本発明の実施形態を容易に利用し得る。電子装置１０は、携帯型情報端末（portable digital assistant；ＰＤＡ）、ポケットベル、モバイルコンピュータ、デスクトップコンピュータ、テレビ、ゲーム装置、ラップトップコンピュータ、メディアプレーヤー、カメラ、ビデオレコーダー、携帯電話、全地球測位システム（ＧＰＳ）装置、及び／又はその他任意のタイプの電子システムであり得る。さらに、少なくとも１つの例示実施形態の本装置は、電子装置の全体である必要もなく、他の例示実施形態における電子装置の部品又は複数の部品の群であってもよい。
【００６７】
さらに、装置は、それらの移動性を提供する意図とは関係なく、本発明の実施形態を容易に採用し得る。この点で、本発明の実施形態は、モバイルアプリケーションと共に説明され得るが、本発明の実施形態は、モバイル通信産業とモバイル通信産業以外の両方における様々な他のアプリケーションと共に利用され得る。
【００６８】
少なくとも１つの例示実施形態において、電子装置１０は、プロセッサ１１とメモリ１２とを備える。プロセッサ１１は、任意のタイプのプロセッサ、コントローラ、組込コントローラ、プロセッサコア、及び／又はこれらに同種のものであり得る。少なくとも１つの例示実施形態においては、プロセッサ１１は、コンピュータプログラムコードを利用して装置に１又は複数の動作を実行させる。メモリ１２は、データの一時記憶のためのキャッシュ領域を含む揮発性ランダムアクセスメモリ（ＲＡＭ）、並びに／又は、例えば組込まれ及び／若しくは取外し可能であり得る不揮発性メモリ等のその他メモリを含み得る。不揮発性メモリは、ＥＥＰＲＯＭ、フラッシュメモリ及び／又はこれらと同種のものであり得る。メモリ１２は、あらゆる多数の情報断片、及びデータを記憶し得る。該情報及びデータは、電子装置１０が本願に記載される機能等、電子装置１０の１又は複数の機能を実装するのに電子装置１０によって用いられるものである。少なくとも１つの例示実施形態においては、メモリ１２は、メモリ及びコンピュータプログラムコードが、プロセッサと共に動作して前記装置に本願に記載される１又は複数の動作を実行させるように構成されているコンピュータプログラムを備える。
【００６９】
電子装置１０は更に、通信デバイス１５を備えてもよい。少なくとも１つの例示実施形態において、通信デバイス１５は、トランスミッタ及び／又はレシーバと操作可能に通信するアンテナ（又は複数のアンテナ）、有線コネクタ及び／又はこれらに同種のものを備える。少なくとも１つの例示実施形態においては、プロセッサ１１は、トランスミッタに信号を送信し、及び／又はレシーバから信号を受信する。信号は、通信インターフェース規格に従ったシグナリング情報、ユーザ発話、受信データ、ユーザが生成したデータ及び／又はこれらに同種のものを含む。通信デバイス１５は、１又は複数のエアーインタフェース規格、通信プロトコル、変調タイプ及びアクセスタイプと共に動作し得る。例として、電子通信デバイス１５は、第二世代（２Ｇ）無線通信プロトコル〔ＩＳ‐１３６（時分割多重アクセス；time division multiple access；ＴＤＭＡ）、ＧＳＭ（登録商標）、及びＩＳ−９５（符号分割多重アクセス（ＣＤＭＡ）〕に、第三世代（３Ｇ）無線通信プロトコル〔例えば、ユニバーサル・モバイル・テレコミュニケーション・システム（ＵＭＴＳ）、ＣＤＭＡ２０００、ＷＣＤＭＡ（登録商標）及び時分割同期型ＣＤＭＡ（time division-synchronous CDMA；ＴＤ−ＳＣＤＭＡ）〕に、並びに／又は第４世代（４Ｇ）無線通信プロトコル〔例えば、８０２．１１等の無線ネットワークプロトコル、ブルートゥース等の短距離無線プロトコル〕に、並びに／又はこれらと同種のものに従って動作し得る。通信デバイス１５は、イーサネット（登録商標）、デジタル加入者回線（ＤＳＬ）、非同期転送モード（ＡＴＭ）、及び／又はこれらと同種のもの等の有線プロトコルに従って動作してもよい。
【００７０】
プロセッサ１１は、音声、ビデオ、通信、ナビゲーション、ロジック機能及び／又はこれらと同種のものを実装するための、並びに例えば本願に記載される機能の１又は複数を含む、本発明の実施形態を実装するための、回路等の手段を備えるものであってもよい。例えば、プロセッサ１１は、デジタル信号プロセッサデバイス、マイクロプロセッサデバイス、各種アナログデジタルコンバータ、デジタルアナログコンバータ、処理回路、及びその他支援回路等、例えば本願に記載される機能の１又は複数を含む各種機能を実行するための手段を備えるものであってもよい。本装置は、それらデバイスそれぞれの能力により、該デバイス間において電子装置１０の制御及び信号処理の機能を実行するものであってもよい。プロセッサ１１は、したがって、メッセージ及びデータを、変調及び送信に先立ち、符号化し及びインターリーブする機能を備えるものであってもよい。プロセッサ１は、内部音声符号器を追加的に備えるものであってもよく、内部データモデムを備えるものであってもよい。更に、メモリに記憶され得るものであり、とりわけプロセッサ１１に例えば本明細書に記載される機能の１又は複数を含む少なくとも１つの実施形態を実装させ得る、１又は複数のソフトウェアプログラムを動作させる機能をプロセッサ１１が備えていてもよい。例えば、プロセッサ１１は、従来のインターネットブラウザー等の接続プログラムを動作させてもよい。接続プログラムは、伝送制御プロトコル（ＴＣＰ）、インターネット・プロトコル（ＩＰ）、ユーザー・データグラム・プロトコル（ＵＤＰ）、インターネット・メッセージ・アクセス・プロトコル（ＩＭＡＰ）、ポスト・オフィス・プロトコル（ＰＯＰ）、簡易メール転送プロトコル（ＳＭＴＰ）、ワイヤレス・アプリケーション・プロトコル（ＷＡＰ）、ハイパーテキスト転送プロトコル（ＨＴＴＰ）及び／又はこれらと同種のものにより、電子装置１０に、位置ベースのコンテンツ及び／又はその他ウェブページコンテンツ等のインターネットコンテンツを送信させ、及び受信させ得る。
【００７１】
電子装置１０は、出力を送信し、及び／又は入力を受信するためのユーザインターフェースを備えてもよい。電子装置１０は、出力デバイス１４を備えてもよい。出力デバイス１４は、リンガー、イヤホン、スピーカー及び／又はこれらと同種のもの等の音声出力デバイスを備えてもよい。出力デバイス１４は、振動変換器、電子的に変形可能な表面、電子的に変形可能な構造及び／又はこれらと同種のもの等の触覚出力デバイスを備えてもよい。出力デバイス１４は、表示装置、ライト及び／又はこれらと同種のもの等の視覚出力デバイスを備えてもよい。少なくとも１つの例示実施形態において、本装置は、情報を表示させ、その表示を発生させることは、本装置に備えられた表示装置上に前記情報を表示すること、表示装置を備える別個の装置に情報を送信すること、及び／又はこれらと同種のことを含み得る。当該電子装置は、入力デバイス１３を備えてもよい。入力デバイス１３は、光センサー、近接センサー、マイクロホン、タッチセンサー、力センサー、ボタン、キーパッド、動きセンサー、磁場センサー、カメラ、及び／又はこれらと同種のものを備えてもよい。タッチセンサー及び表示装置は、タッチ表示装置として特徴付けられる。タッチ表示装置を備える実施形態においては、タッチ表示装置は、一点の接触、複数点の接触、及び／又はこれらに同種のものから入力を受信するように構成され得る。そのような実施形態においては、タッチ表示装置及び／又はプロセッサは、少なくとも部分的に、位置、動き、速度、接触面積、及び／又はこれらと同種のものに基づい入力を決定し得る。少なくとも１つの例示実施形態においては、当該装置は、入力の指示を受信する。当該装置は、センサー、ドライバー、別個の装置、及び／又はこれらと同種のものから前記指示を受信し得る。入力を示す情報は、当該入力を示し、当該入力の発生を示す入力の側面を示し、及び／又はこれらと同種のものを示す、情報を伝達する情報に関するものであってもよい。
【００７２】
電子装置１０は、抵抗、静電容量、赤外線、ひずみゲージ、表面波、光学イメージング、分散信号技術、音響パルス認識又はその他手法の何れかによるタッチ認識を可能にし、次いで場所及びタッチに関連するその他パラメータを示す信号を提供するよう構成されたものを含む様々なタッチ表示装置の何れかを備えていてもよい。加えて、タッチ表示装置は、選択体（例えば、指、タッチペン、ペン、鉛筆又はその他ポインティングデバイス）とタッチ表示装置との間の実際の物理的接触として定義され得るタッチイベントの形態で入力の指示を受信するように構成され得る。或いは、タッチイベントは、タッチ表示装置との物理的接触は為されないとしても、前記選択体をタッチ表示装置に近接させ、表示された物体の上で補ばリングさせ、又は予め定義した距離以内で物体に近接することとして定義され得る。したがたって、タッチ入力は、タッチ表示装置によって検出される任意の入力を含み得るものであり、実際の物理的接触を伴うタッチイベント、並びに例えば選択体がタッチ表示装置に近接した結果等、物理的接触を伴わないがその他の方法によりタッチ表示装置によって検出されるタッチイベントを含み得る。タッチ表示装置は、タッチ入力に関連してタッチスクリーンに加えられた力に関連する情報を受信する能力を有し得る。例えば、タッチスクリーンは、強いプレスタッチ入力と弱いプレスタッチ入力を識別し得る。少なくとも１つの例示実施形態において、表示装置は、二次元情報、三次元情報及び／又はこれらに同種のものを表示し得る。
【００７３】
キーパッドを備える実施形態において、キーパッドは、電子装置１０を動作させるための数字（例えば０〜９）のキー、記号のキー（例えば、＃、*）、アルファベットのキー及び／又はこれらに同種のものを含み得る。例えば、キーパッドは、従来のクワーティキーパッド（QWERTY keypad）配列を備えてもよい。キーパッドはまた、関連する機能を有する各種ソフトキーを備えていてもよい。加えて、又は、代替的に、電子装置１０は、ジョイスティック又はその他ユーザー入力インターフェース等のインターフェースデバイスを備えてもよい。
【００７４】
入力デバイス１３は、媒体捕捉要素を備えてもよい。媒体捕捉要素は、保存し、表示し、又は伝送するイメージ、ビデオ及び／又は音声を捕捉するための任意の手段であり得る。例えば、媒体捕捉要素がカメラモジュールである少なくとも１つの例示実施形態においては、カメラモジュールは、捕捉イメージからデジタルイメージファイルを形成するデジタルカメラを備えてもよい。したがって、カメラモジュールは、レンズやその他光学部品（単数又は複数）等のハードウェア、及び／又は捕捉イメージからデジタルイメージファイルを生成するのに必要なソフトウェアを備えてもよい。あるいは、カメラモジュールは、イメージを視認するためのハードウェアのみ備えてもよく、これに対して、電子装置１０のメモリデバイスが、捕捉イメージからデジタルイメージファイルを生成するためのソフトウェアという形態で、プロセッサ１１によって実行させる命令を記憶することになる。少なくとも１つの例示実施形態においては、カメラモジュールは、イメージデータを処理するのにプロセッサ１１を支援するコプロセッサ、並びにイメージデータを圧縮し及び／又は展開するための符号器及び／又は復号器等、処理要素をさらに備えていてもよい。符号器及び／又は復号器は、例えば、ジェイペグ（Joint Photographic Experts Group; JPEG）標準フォーマット等の標準的なフォーマットにより符号化し、及び／又は復号化し得る。
【００７５】
図２Ａ〜２Ｂは、少なくとも１つの例示実施形態によるフレキシブル表示装置を示す図である。図２Ａ〜２Ｂの例は、単なる例示であり、特許請求の範囲を限定するものではない。例えば、フレキシブル表示装置の寸法は変化し、フレキシブル表示装置の設計は変化し、フレキシブル表示装置の湾曲度は変化し、表示領域の数は変化し、表示領域のサイズは変化し、及び／又はこれらと同種のものが変化し得る。
【００７６】
電子装置はさらに普及しており、大型の表示装置を備える電子装置の要求が高まっている。大型の表示装置は、例えば、電子装置のユーザビリティを高める。電子装置の表示装置のサイズが大きくなると、そのような電子装置の輸送と保管が面倒になる。特定の場合においては、電子装置は、フレキシブルであり、折り曲げ可能であり、折り畳み可能であり、及び／又はこれらと同種のものであることが望ましい場合もある。そのような場合、ユーザは、電子装置の物理的寸法を小さくし、電子装置の使い易さを増加させ、フレキシブル表示装置の損傷を回避し、及び／又はこれらと同種のことを目的として、屈曲し、折り畳め、折り曲がり、及び／又はこれらと同種の能力を望む場合がある。少なくとも１の例示実施形態において、装置はフレキシブル表示装置を備える。このような例において、フレキシブル表示装置は、屈曲するように全体的に構成された表示装置、少なくとも１つの屈曲表示領域と少なくとも１つの非屈曲表示領域とを備える表示装置、及び／又はこれらと同種のものに関し得る。屈曲するように全体的に構成されたフレキシブル表示装置は、例えば、表示装置全体にわたる少なくとも１つの寸法方向において屈曲するように構成された表示装置に関し得る。少なくとも１つの屈曲表示領域と少なくとも１つの非屈曲表示領域とを備えるフレキシブル表示装置は、例えば、少なくとも１つの寸法方向において屈曲するように構成された表示装置の少なくとも一部と、屈曲しない表示装置の少なくとも一部とを備える表示装置に関し得る。このような例では、前記屈曲表示領域は、少なくとも１つの寸法方向において屈曲するように構成された表示装置の少なくとも一部に関するものであってもよく、前記非屈曲表示領域は、少なくとも１つの寸法方向と、屈曲しないように構成された表示装置の少なくとも一部とに関するものであってもよい。
【００７７】
特定の場合においては、ユーザが電子装置を実質的に半分に、折り畳め、又は折り曲げ得ることが望ましい場合もある。少なくとも１つの例示実施形態においては、装置は、反対側の非屈曲表示領域に直接隣接する屈曲表示領域に直接隣接して非屈曲表示領域を有するフレキシブル表示装置を備える。このような例においては、前記非屈曲表示領域と、前記反対側の非屈曲表示領域とは、前記屈曲表示領域と前記非屈曲表示領域との間の対向する境界上に対向して配置され得る。このような例において、屈曲表示領域と非屈曲表示領域との境界は、屈曲境界に関するものであってもよい。屈曲表示領域と反対側の非屈曲表示領域との間の境界は、例えば、反対側の屈曲境界に関するものであってもよい。同様に、屈曲境界の反対側にある非屈曲表示領域の端は、例えば、非屈曲端に関するものであってもよい。屈曲境界の反対側にある反対側の非屈曲表示領域は、例えば、反対側の非屈曲端に関するものであってもよい。このような様式で、非屈曲端としての端の特徴化が、屈曲端から前記端を識別するために利用される。このような特徴化は、必ずしも、非屈曲端が、屈曲するように構成されていないことを意味する訳ではなく、単に、該端が、反対側にあり、かつ屈曲境界に一致する端であることを意味する。したがって、少なくとも１つの例示実施形態において、非屈曲端と、反対側の非屈曲端とは、屈曲が可能であるように構成されている。例えば、特定の構成において、端は、非屈曲端と称されるが、非屈曲端は、それにも関わらず、屈曲が可能であり得る。１又は複数の例示実施形態において、非屈曲端と反対側の非屈曲端とは、屈曲しないように構成されている。例えば、非屈曲端と反対側の非屈曲端とは、屈曲するように構成され得るが、非屈曲端と反対側の非屈曲端とは、非屈曲補強体、特定範囲の屈曲制限体及び／又はこれらと同種のものを介して屈曲しないように構成され得る。
【００７８】
図２Ａは、少なくとも１つの例示実施形態によるフレキシブル表示装置を示す図である。図２Ａの例は、図２Ｂに図示される例示実施形態を再構成したものに関する。図２Ａの例において、表示装置２０２は、フレキシブル表示装置に関する。表示装置２０２は、表示領域２０４、表示領域２０６、及び表示領域２０８を備える。表示領域２０４は非屈曲表示領域に関する。表示領域２０６は屈曲表示領域に関する。表示領域２０８は反対側の非屈曲表示領域に関する。図２Ａの例において、境界２１２は、表示領域２０４と表示領域２０６との間の屈曲境界に関する。境界２１４は、表示領域２０８と表示領域２０６との間の反対側の屈曲境界に関する。図２Ａの例においては、端２１０は、境界２１２の反対側にある表示領域２０４の非屈曲端に関する。端２１６は、境界２１４の反対側にある表示領域２０８の反対側の非屈曲端に関する。図２Ａの例において、表示装置２０２は、表示領域２０４、表示領域２０６及び表示領域２０８に加えて１又は複数の表示領域から構成され得る。表示領域２０４、表示領域２０６及び／又は表示領域２０８の絶対サイズ、相対サイズ、位置及び／又はこれらに同種のものは、図２Ａに図示した例示実施形態と異なり得る。
【００７９】
図２Ｂは、少なくとも１つの例示実施形態によるフレキシブル表示装置を示す図である。図２Ｂの例は、図２Ａに図示される例示実施形態を再構成したものに関する。例えば、図２Ｂの構成は、表示装置２０２の屈曲構成に関するものであり得る。図２Ｂの例においては、表示領域２０６は、表示領域２０４と表示領域２０８とが互いに対向するように屈曲した構成で構成されている。図２Ｂの例においては、表示領域２０６は、内側に屈曲し、外側に屈曲し、及び／又は同種のものとなるように構成され得る。図２Ｂの例においては、端２１０と端２１６との距離は変化し、表示領域２０６の屈曲は変化し、及び／又は同種のものが変化し得る。図２Ｂの例においては、端２１０及び／又は端２１６は、屈曲するように構成され、屈曲しないように構成され、及び／又は同種のものとなるように構成され得る。
【００８０】
図３Ａ〜３Ｃは、少なくとも１つの例示実施形態によるフレキシブル表示装置の構成を示す図である。図３Ａ〜３Ｃの例は、単なる例示であり、特許請求の範囲を限定するものではない。例えば、フレキシブル表示装置の寸法は変化し、フレキシブル表示装置の設計は変化し、フレキシブル表示装置の湾曲度は変化し、表示領域の数は変化し、表示領域のサイズは変化し、及び／又は同種のものが変化し得る。
【００８１】
特定の状況においては、フレキシブル表示装置の湾曲度のカテゴリー化、特徴化、及び／又は同種のものを可能にすることが望ましい場合がある。例えば、装置が、フレキシブル表示装置の屈曲表示領域の湾曲度を認識することが望まれる場合がある。このような例においては、ユーザは、特定の湾曲度をフレキシブル表示装置の特定の構成と関連付けることを望む場合もある。１又は複数の例示実施形態において、装置は、フレキシブル表示装置の湾曲度を決定する。このような例においては、フレキシブル表示装置の湾曲度の決定は、フレキシブル表示装置の湾曲度に関連し得る。フレキシブル表示装置の湾曲度は、例えば、屈曲表示領域及び／又は非屈曲表示領域内に位置する２つの所定の点の間の距離に、屈曲表示領域のセグメントの方向に、屈曲表示領域のセグメントの角度上の配置に、ひずみゲージに、磁石及び／若しくは磁気センサーに、並びに／又はこれらと同種のものに、少なくとも部分的に基づくものであり得る。
【００８２】
少なくとも１つの例示実施形態においては、フレキシブル表示装置の屈曲表示領域が屈曲し、フレキシブル表示装置の非屈曲表示領域の少なくとも一部とフレキシブル表示装置の反対側の非屈曲表示領域の少なくとも一部との間にスパンが存在するようなフレキシブル表示装置の構成は、フレキシブル表示装置の閉じた構成に関する。このような例において、前記スパンは、非屈曲表示領域の少なくとも一部と反対側の非屈曲表示領域の少なくとも一部との間の間隙に関するものである。前記スパンは、例えば、フレキシブル表示装置の少なくとも一部の視認を可能にする視認開口部を形成するものであってもよい。このような例においては、装置は、フレキシブル表示装置が閉じた構成で構成されていることを決定し得る。フレキシブル表示装置が閉じた構成で構成されていることについてのこのような決定は、屈曲表示領域の湾曲度、近接センサー情報、光センサー情報及び／又はこれらに同種のものに少なくとも部分的に基づくものであってよい。近接センサー情報は、磁石センサー情報、レーダーセンサー情報及び／又はこれらと同種のものに関し得る。少なくとも１つの例示実施形態においては、閉じた構成は、非屈曲表示領域と反対側の非屈曲表示領域とが互いに対向するようなフレキシブル表示装置の構成に関する。１又は複数の例示実施形態において、閉じた構成は、屈曲境界と反対側の屈曲境界との間の距離が、非屈曲端と反対側の非屈曲端との間の距離より大きいか、又は同距離と等しくなるようなフレキシブル表示装置の構成に関する。同様に、少なくとも１つの例示実施形態においては、フレキシブル表示装置の開いた構成は、屈曲境界と反対側の屈曲境界との間の距離が、非屈曲端と反対側の非屈曲端との間の距離より小さくなるようなフレキシブル表示装置の構成に関する。
【００８３】
特定の場合においては、装置の動作が少なくとも部分的に当該装置のフレキシブル表示装置の現構成に基づくものであることが望ましい場合がある。例えば、ユーザは、装置が閉じた構成にある間に特定の動作が生じることを望み、装置が開いた構成にある間はその他の動作が生じることを望む場合がある。特殊な場合においては、装置の動作が、さらにフレキシブル表示装置の再構成に少なくとも部分的に基づくものであることが望ましい場合もある。例えば、ユーザは、開いた構成から閉じた構成へのフレキシブル装置の再構成に特定の動作を結びつけることを望む場合がある。同様に、例えば、ユーザは、閉じた構成から開いた構成へのフレキシブル装置の再構成に特定の動作を結びつけることを望む場合もある。１又は複数の例示実施形態においては、装置は、フレキシブル表示装置の構成が、閉じた構成から開いた構成に変化したことを決定する。フレキシブル表示装置の構成が閉じた構成から開いた構成に変化したことについてのこのような決定は、屈曲表示領域の湾曲度、近接センサー情報、光センサー情報及び／又はこれらと同種のものに少なくとも部分的に基づくものであり得る。近接センサー情報は、磁石センサー情報、レーダーセンサー情報及び／又はこれらに同種のものに関し得る。
【００８４】
図３Ａは、少なくとも１つの例示実施形態によるフレキシブル表示装置の構成を示す図である。図３Ａの例は、図３Ｂ及び図３Ｃに図示された例示実施形態を再構成したものに関する。図３Ａの例においては、表示装置３０２は、開いた構成のフレキシブル表示装置に関する。表示装置３０２は、表示領域３０４、表示領域３０６及び表示領域３０８を備える。表示領域３０４は非屈曲表示領域に関する。表示領域３０６は屈曲表示領域に関する。表示領域３０８は反対側の非屈曲表示領域に関する。図３Ａの例において、境界３１２は、表示領域３０４と表示領域３０６との間の屈曲境界に関する。境界３１４は、表示領域３０８と表示領域３０６との間の反対側の屈曲境界に関する。図３Ａの例においては、端３１０は、境界３１２の反対側にある表示領域３０４の非屈曲端に関する。端３１６は、境界３１４の反対側にある表示領域３０８の反対側の非屈曲端に関する。
【００８５】
図３Ａの例においては、表示装置３０２は、境界３１２と境界３１４との間の距離３２０が、端３１０と端３１６との間の距離３２２より小さくなるように構成されている。図３Ａの例においては、距離３２２は、距離３２０より大きい任意の距離であり得る。図３Ａの例においては、表示装置３０２は、表示領域３０４、表示領域３０６及び表示領域３０８に加えて１又は複数の表示領域から構成されてもよい。表示領域３０４、表示領域３０６及び／又は表示領域３０８の絶対サイズ、相対サイズ、位置及び／又はこれらと同種のものは、図３Ａに図示した例示実施形態とは異なり得る。
【００８６】
図３Ｂは、少なくとも１つの例示実施形態によるフレキシブル表示装置の構成を示す図である。図３Ｂの例は、図３Ａ及び図３Ｃに図示される例示実施形態を再構成したものに関する。図３Ｂの例においては、表示装置３０２は、閉じた構成のフレキシブル表示装置に関する。図３Ｂの例において、表示装置３０２は、境界３１２と境界３１４との間の距離３２０が、端３１０と端３１６との間の距離３２２と等しくなるように構成されている。図３Ｂの例においては、表示装置３０２は、表示領域３０４、表示領域３０６及び表示領域３０８に加えて１又は複数の表示領域から構成されてもよい。表示領域３０４、表示領域３０６及び／又は表示領域３０８の絶対サイズ、相対サイズ、位置及び／又はこれらと同種のものは、図３Ｂに図示した例示実施形態とは異なり得る。
【００８７】
図３Ｃは、少なくとも１つの例示実施形態によるフレキシブル表示装置の構成を示す図である。図３Ｃの例は、図３Ａ及び図３Ｂに図示される例示実施形態を再構成したものに関する。図３Ｃの例においては、表示装置３０２は、閉じた構成のフレキシブル表示装置に関する。図３Ｃの例において、表示装置３０２は、境界３１２と境界３１４との間の距離３２０が、端３１０と端３１６との間の距離３２２より大きくなるように構成されている。図３Ｃの例においては、距離３２２は、実質的に０から距離３２０までの範囲の任意の距離であり得る。図３Ｃの例においては、表示装置３０２は、表示領域３０４、表示領域３０６及び表示領域３０８に加えて１又は複数の表示領域から構成されてもよい。表示領域３０４、表示領域３０６及び／又は表示領域３０８の絶対サイズ、相対サイズ、位置及び／又はこれらに同種のものは、図３Ｃに図示した例示実施形態とは異なり得る。
【００８８】
図４Ａ及び４Ｂは、少なくとも１つの例示実施形態によるフレキシブル表示装置の視野角を示す図である。図４Ａ及び４Ｂの例は、単なる例示であり、特許請求の範囲を限定するものではない。例えば、装置の方向は変化し、ユーザの視線は変化し、視認者の視線に対する装置の方向は変化し、装置の傾きは変化し、装置の寸法は変化し、及び／又はこれらに同種のものが変化し得る。
【００８９】
電子装置が強力になりかつその能力が増すと、ユーザによる知的でかつ効率的な対話を促進することが望まれる場合がある。例えば、ユーザは、電子装置と難なく対話する能力を望む場合がある。このような例においては、電子装置が、その場所及び／又は方向を認識することが望ましい場合がある。加えて、例えば、電子装置が、ユーザ位置、ユーザ視線及び／又はこれらと同種のもの等の環境コンテクストを認識することが望ましい場合がある。
【００９０】
特定の場合においては、特定の装置動作が、フレキシブル表示装置に対する視認者の視線に少なくとも部分的に基づくものであることが望ましい場合がある。視認者の視線は、例えば、視線追跡情報、顔認識情報、フレキシブル表示装置方向情報、又は所定の視認者視線情報に少なくとも部分的に基づくものであり得る。フレキシブル表示装置方向情報は、加速度計センサー情報、ジャイロセンサー情報及び／又はこれらと同種のものに関連し得る。例えば、フレキシブル表示装置方向情報は、フレキシブル表示装置が、逆さまに、表を上にして、後方に、前方に、傾けて、及び／又はこれらと同種の態様で保持されていることを示す情報に関し得る。例えば、所定の視認者視線情報は、視認者の目より下の高さでフレキシブル表示装置を保持し、屈曲表示領域が左側になるようにフレキシブル表示装置を保持し、所定のフレキシブル表示装置の上面がフレキシブル表示装置の上端に位置するようにフレキシブル表示装置を方向付けする等の所定のフレキシブル表示装置方向情報及び／若しくは視認者位置情報、フレキシブル表示装置方向情報、並びに／又はこれらと同種の情報に関し得る。少なくも１つの例示実施形態においては、視認者の視線は、フレキシブル表示装置の視野角に関連する。１又は複数の例示実施形態においては、フレキシブル表示装置の視野角の決定は、視認者の視線、フレキシブル表示装置方向情報、及び／又はこれらに同種のものに少なくとも部分的に基づくものであり得る。
【００９１】
図４Ａは、少なくとも１つの例示実施形態によるフレキシブル表示装置の視野角を示す図である。図４Ａの例においては、視認者４０４は、垂直方向で表示装置４０２を保持している。表示装置４０２の垂直方向は、軸４０６に関連し、軸４０６は、表示装置４０２のロール・ピッチ・ヨー（yaw, pitch, roll）に関するものである。視認者４０４の視線４０８は、表示装置４０２と交差し、表示装置４０２の軸４０６に対してフレキシブル表示装置の視野角を形成する。
【００９２】
図４Ｂは、少なくとも１つの例示実施形態によるフレキシブル表示装置の視野角を示す図である。図４Ｂの例においては、視認者４５４は、水平方向で表示装置４５２を保持している。表示装置４５２の水平方向は、軸４５６に関連し、軸４５６は、表示装置４５２の向き、傾斜及び回転に関するものである。視認者４５４の視線４５８は、表示装置４５２と相互作用し、表示装置４５２の軸４５６に対してフレキシブル表示装置の視野角を形成する。
【００９３】
図５Ａ〜５Ｄは、少なくとも１つの例示実施形態によるフレキシブル表示装置の構成を示す図である。図５Ａ〜５Ｄの例は、単なる例示であり、特許請求の範囲を限定するものではない。例えば、装置の寸法は変化し、屈曲表示領域及び／若しくは非屈曲表示領域の数及びサイズは変化し、通知表示領域及び／若しくは視認可能表示領域の数及びサイズは変化し、並びに／又はこれらと同種のものが変化し得る。
【００９４】
その時々において、多岐にわたるイベントが生じ得る。いくつかの場合においては、ユーザが、フレキシブル表示装置を通じて、あるイベントが発生したことについてアラートを受けることが望ましい場合がある。少なくとも１つの例示実施形態において、イベントは、コール、メッセージ、通知、アップデート、アラーム、カレンダー項目、電力、信号強度、場所、及び／又はこれらと同種のものに関する。例えば、装置における着信電話の受信は、コールイベントに関し得る。ソーシャルネットワークのメッセージの受信は、例えば、メッセージイベントに関し得る。少なくとも１つの例示実施形態においては、２０パーセントの電池容量に到達したことは電力イベントに関し得る。
【００９５】
特定の場合において、イベントを通知に関連付けることが望ましい場合がある。例えば、ユーザは、関連する通知によってイベントの発生に関してアラートを受け得る。少なくとも１つの例示実施形態においては、装置は、イベントに関連する通知を決定する。１又は複数の例示実施形態においては、通知は、関連するイベントを示すものである。通知は、例えば、通知ダイアログ、メッセージダイアログ、データフィードエントリー、聴覚アラート、視覚アラート、及び／又はこれらと同種のものに関し得る。１又は複数の例示実施形態においては、通知は、エベント及び又は該イベントに関連する各種属性に関連する。１又は複数の例示実施形態においては、通知は、プッシュデータ、配信データ、プルデータ及び／又はこれらと同種のものに関連し得る。通知は、例えば、出版購読型モデルにおいて装置にプッシュされるデータの受信に関連し得る。別の例においては、通知は、データフィードから配信されるデータの受信に関連し得る。このような例においては、配信データは、データエントリーのストリームの単一データエントリーに関し得る。別の例においては、通知は、プルベースのデータシステムにおいて要求されたデータの受信に関連し得る。少なくとも１つの例示実施形態において、イベントに関連する通知は、通知コンテンツ、通知コンテクスト及び／又はこれらと同種のものを含む。例えば、通知は、メッセージに関連し得、通知コンテンツは、メッセージ送信者、メッセージタイトル、メッセージ本文、メッセージヘッダー、及び／又はこれらと同種のものに関し得る。１又は複数の例示実施形態において、メッセージは、テキストメッセージ、インスタントメッセージ、ツイッターメッセージ、フェイスブックメッセージ、及び／又はこれらと同種のものに関し得る。少なくとも１つの例示実施形態においては、通知は通話に関連し得るものであり、通知コンテンツは発信者、発信元、通話タイプ、及び／又はこれらと同種のものに関し得る。１又は複数の例示実施形態においては、通話タイプは、音声通話、ビデオ通話、パケット通話、会議通話、電話通話、及び／又はこれらと同種のものに関し得る。少なくとも１つの例示実施形態においては、通知は、センサーイベントに関係し、通知コンテンツは、センサーの読み取り内容に関し得る。例えば、センサーは、温度センサー、占有センサー、動きセンサー、光センサー、及び／又はこれらと同種のものに関し得る。センサーイベントは、例えば、いくつかの所定の基準に合致する温度条件、部屋の占有、出入り口における動き、いくつかの所定の基準に合致する照明条件、及び／又はこれらと同種のものに関し得る。少なくとも１つの例示実施形態においては、通知コンテクストは、天候条件、日付、時刻、温度、光条件、環境条件、周辺装置の場所、及び／又はこれらと同種のものに関する。例えば、通知コンテクストは、イベントの発生に関連するコンテクストに関し得る。特定の場合においては、２つ以上のイベントが生じ得る。このような場合においては、各イベントを通知に関連付けることが望ましい場合がある。いくつかの場合においては、それら２つのイベントが２つの通知に関連付けられ得る。例えば、２つのイベントは、２つの対応する通知に関連付けられ得る。あるいは、２つのイベントは、２つの非対応の通知に関連付けられ得る。１又は複数の例示実施形態において、装置は、他の通知がイベント通知と相関する場合において別のイベントに関連する別の通知を決定する。
【００９６】
特定の場合において、ユーザは、通知を介してイベントの発生についてアラートを受けることが望ましいと考える場合がある。例えば、ユーザは、ユーザの装置により通知を受信することが望ましいと考える場合もある。例えば、通知を示す情報が表示され得る。特定の場合においては、フレキシブル表示装置の所定の部分に通知の表示を配置することが望ましい場合がある。１又は複数の例示実施形態においては、通知は、フレキシブル表示装置の通知表示領域内に表示される。通知表示領域は、フレキシブル表示装置の所定の領域、フレキシブル表示装置方向情報、及び／又はこれらに同種のものに少なくとも部分的に基づくものであり得る。少なくとも１つの例示実施形態においては、装置は、通知を表示させることを決定し得る。１又は複数の例示実施形態においては、通知を表示させる決定が、通知に関連するイベントの発生に少なくとも部分的に基づくものであり得る。通知の表示は、例えば、通知の表現の表示、通知を示す情報の表示、及び／又はこれらと同種のものに関し得る。少なくとも１つの例示実施形態において、装置は、通知表示領域に通知の表現を表示させ得る。通知の表現を表示させることは、フレキシブル表示装置上に通知の表現を直接的にレンダリングし、フレキシブル表示装置上に通知の表現を間接的にレンダリングし、フレキシブル表示装置上に通知を示す情報を直接的にレンダリングし、及び／又はこれらと同種のことに関し得る。少なくとも１つの例示実施形態においては、装置は、１又は複数の通知の表示を生じさせ得る。このような通知は、同時に、同時期に、順次に、及び／又は同種の態様で表示され得る。１又は複数の例示実施形態において、異なる通知が、同じ通知表示領域に、異なる通知表示領域に、部分的にオーバーラップした通知表示領域に、及び／又はこれらと同種のものに表示され得る。例えば、ある通知の表現が通知表示領域に表示され、異なる通知の表現が異なる通知表示領域に表示され得る。
【００９７】
特定の場合において、通知表示領域の配置、サイズ及び／又は形状がフレキシブル表示装置の方向、フレキシブル表示装置の構成、及び／又はこれらと同種のものに基づいて決定されることが望ましい場合がある。例えば、フレキシブル表示装置の一部が、視認者の視線からブロックされている場合、通知表示装置領域が少なくとも部分的にオーバーラップし、又は隠蔽されるように通知表示領域を位置決めするのは回避することが望ましい場合がある。少なくとも１つの例示実施形態においては、閉じた構成で構成されたフレキシブル表示装置は、フレキシブル表示装置の少なくとも一部に視認開口部を提供する。このような例においては、閉じた構成及び視認開口部に少なくとも部分的に基づいて通知表示領域を決定することが望ましい場合がある。少なくとも１つの例示実施形態においては、視認者の視線から視認開口部を介して視認できるフレキシブル表示装置の一部は、視認可能な表示領域に関する。１又は複数の例示実施形態において、視認できる表示領域は、通知表示領域と少なくとも部分的に一致する。例えば、視認者に対する通知の表示を容易にするために、視認者の視線から視認可能であるフレキシブル表示装置の一部に通知を表示することが望ましい場合がある。このような例においては、視認できる表示領域内にも存在する通知表示領域の一部内に通知を表示することが望ましい場合がある。
【００９８】
少なくとも１つの例示実施形態において、通知表示領域は、フレキシブル表示装置の視野角に少なくとも部分的に基づくものである。例えば、フレキシブル表示装置に対する視認者の視線に関連するフレキシブル表示装置の視野角は、フレキシブル表示装置が閉じた構成にある場合、フレキシブル表示装置の少なくとも一部が隠れた状態にあることに関連する。このような例において、フレキシブル表示装置の視野角がより小さいことは、より大きい視認可能表示領域を可能にする視認者の視線に関するものとなる。同様に、フレキシブル表示装置の視野角がより大きいことは、フレキシブル表示装置をさらに隠蔽させ、これに関連してより小さい視認可能表示領域を可能にする視認者の視線に関することになる。１又は複数の例示実施形態においては、通知表示領域は、フレキシブル表示装置の湾曲度に少なくとも部分的に基づくものである。例えば、フレキシブル表示装置の屈曲表示領域のフレキシブル表示装置湾曲度が大きいことは、フレキシブル表示装置の隠蔽がより大きくなり、これに関連して視認可能表示領域がより小さくなることに関連し得る。あるいは、例えば、フレキシブル表示装置の屈曲表示領域のフレキシブル表示装置湾曲度が小さいことは、フレキシブル表示装置の隠蔽がより小さくなり、これに関連して視認可能表示領域がより大きくなることに関連し得る。少なくとも１つの例示実施形態においては、通知表示領域は、フレキシブル表示装置の視野角とフレキシブル表示装置湾曲度とに少なくとも部分的に基づくものである。
【００９９】
少なくとも１つの例示実施形態においては、通知表示領域の一部が、フレキシブル表示装置の視野角に少なくとも部分的に基づくものである。例えば、フレキシブル表示装置に対する視認者の視線に関連するフレキシブル表示装置の視野角は、フレキシブル表示装置が閉じた構成にある場合、フレキシブル表示装置の少なくとも一部が隠蔽されることに関連する。このような例において、フレキシブル表示装置の視野角がより小さいことは、より大きい視認可能な表示領域を可能にし、かつ通知表示領域の位置決めをより非限定的にすることを可能にする視認者の視線に関し得ることになる。同様に、フレキシブル表示装置の視野角がより大きいことは、より小さい視認可能表示領域とし、かつ通知表示領域の位置決めをより限定的なものにする視認者の視線に関し得るものとなる。１又は複数の例示実施形態においては、通知表示領域の位置は、フレキシブル表示装置の湾曲度に少なくとも部分的に基づくものである。例えば、フレキシブル表示装置の屈曲表示領域のフレキシブル表示装置湾曲度が大きいことは、フレキシブル表示装置の隠蔽がより大きくなり、これに関連して視認可能な表示領域が小さくなり、その結果、通知表示領域の位置決めがより限定的になることに関連し得る。あるいは、例えば、フレキシブル表示装置の屈曲表示領域のフレキシブル表示装置湾曲度が小さいことは、フレキシブル表示装置の隠蔽がより小さくなり、これに関連して視認可能な表示領域がより大きくなり、その結果、通知表示領域の位置決めがより非限定的になることに関連し得る。少なくとも１つの例示実施形態においては、通知表示領域の位置は、フレキシブル表示装置の視野角とフレキシブル表示装置の湾曲度との両方に少なくとも部分的に基づくものである。
【０１００】
少なくとも１つの例示実施形態においては、通知表示領域の形状は、フレキシブル表示装置の視野角に少なくとも部分的に基づくものである。例えば、フレキシブル表示装置に対する視認者の視線に関連するフレキシブル表示装置の視野角は、フレキシブル表示装置が閉じた構成にある場合、フレキシブル表示装置の少なくとも一部の隠蔽に関連する。このような例においては、フレキシブル表示装置の視野角がより小さいことは、視認可能表示領域をより大きくし、かつ通知表示領域が視認可能表示領域がより大きくなることに相関するような該通知表示領域の形状とすることを可能にする視認者視線に関し得る。同様に、フレキシブル表示装置の視野角がより大きくなることは、視認可能表示領域をより小さくし、かつ通知表示領域が視認可能表示領域がより小さくなることに相関するような該通知表示領域の形状とすることを可能にする視認者視線に関し得る。１又は複数の例示実施形態においては、通知表示領域の形状は、フレキシブル表示装置の湾曲度に少なくとも部分的に基づくものである。例えば、フレキシブル表示装置の屈曲表示領域のフレキシブル表示装置の湾曲度が大きいことは、フレキシブル表示装置の隠蔽がより大きくなり、これに関連して視認可能領域がより小さくなり、その結果、通知表示領域が視認可能表示領域がより小さくなることに相関するような通知表示領域の形状となることに関連し得る。あるいは、例えば、フレキシブル表示装置の屈曲表示領域のフレキシブル表示装置の湾曲度が小さいことは、フレキシブル表示装置の隠蔽がより小さくなり、これに関連して視認可能表示領域がより大きくなり、その結果、通知表示領域が視認可能表示領域が大きくなることに相関するような通知表示領域の形状となることに関連し得る。少なくとも１つの例示実施形態においては、通知表示領域の形状は、フレキシブル表示装置の視野角とフレキシブル表示装置の湾曲度との両方に少なくとも部分的に基づくものである。
【０１０１】
特定の場合においては、フレキシブル表示装置は、閉じた構成から開いた構成に再構成され得る。このような場合においては、フレキシブル表示装置の視認可能表示領域は、開いた構成に構成された場合はより大きくなり、閉じた構成に構成された場合はより小さくなり得る。同様に、開いた構成においては、フレキシブル装置はそれ程隠蔽され得ないので、通知表示領域の位置及び通知表示領域のサイズは、フレキシブル表示装置の視認可能表示領域における変化を考慮して修正され得る。少なくとも１つの例示実施形態においては、フレキシブル表示装置の構成が閉じた構成から開いた構成に変化したことの決定に少なくとも部分的に基づいて通知表示領域が修正されることが生じる。例えば、通知表示領域、通知表示領域の位置、及び／又は通知表示領域の形状は、少なくとも部分的に開いた構成に基づいて修正されることが生じ得る。例えば、通知は、閉じた構成のフレキシブル表示装置の小さい視認可能な表示領域とオーバーラップする通知表示領域の一部の内に表示されることが生じ得る。このような例においては、フレキシブル表示装置を開いた構成に再構成することは、視認可能な表示領域がより大きくなることに関連し得る。通知表示領域、通知表示領域の位置、及び通知表示領域の形状は、開いた構成及びより大きい視認可能な表示領域に基づいて修正され得る。
【０１０２】
図５Ａは、少なくとも１つの例示実施形態によるフレキシブル表示装置の構成を示す図である。図５Ａの例は、図５Ｂに図示される例示実施形態を再構成したものに関する。図５Ａの例においては、表示装置５０２は、閉じた構成であり、かつ水平方向であるフレキシブル表示装置に関する。表示装置５０２は、表示領域５０４、表示領域５０６、及び表示領域５０８を備える。表示領域５０４は非屈曲表示領域に関する。表示領域５０６は屈曲表示領域に関する。表示領域５０８は反対側の非屈曲表示領域に関する。表示領域５０４は、表示エリア５１２及び表示エリア５１４に関連する。図５Ａの例においては、表示エリア５１２は、表示領域５０４の視認可能表示領域に関する。表示領域５１４は、表示領域５０４の通知表示領域に関する。図５Ａの例においては、表示エリア５１２及び表示エリア５１４は、少なくとも部分的に互いにオーバーラップし、全体が互いにオーバーラップし、及び／又はこれらと同種の態様となっている。表示エリア５１２及び／又は表示エリア５１４は、表示領域５０６内に全体が配置され、表示領域５０４内に全体が配置され、複数の表示領域内に配置され、及び／又はこれらと同種の態様となり得る。図５Ａの例においては、視認可能表示領域５１２は、視認者の視線からは涙滴形状に見え得る。
【０１０３】
図５Ｂは、少なくとも１つの例示実施形態によるフレキシブル表示装置の構成を示す図である。図５Ｂの例は、図５Ｂに図示される例示実施形態を再構成したものに関する。図５Ｂの例においては、表示装置５０２は、開いた構成のフレキシブル表示装置に関する。表示装置５０２は、表示領域５０４、表示領域５０６、及び表示領域５０８を備える。表示領域５０４は非屈曲表示領域に関する。表示領域５０６は屈曲表示領域に関する。表示領域５０８は反対側の非屈曲表示領域に関する。表示領域５０４は、表示エリア５１２及び表示エリア５１４に関連する。図５Ｂの例においては、表示エリア５１２は、表示領域５０４の視認可能表示領域に関する。表示エリア５１４は、表示領域５０４の通知表示領域に関する。図５Ｂの例においては、表示エリア５１２及び表示エリア５１４は、少なくとも部分的に互いにオーバーラップし、全体が互いにオーバーラップし、及び／又はこれらと同種の態様となっている。表示エリア５１２及び／又は表示エリア５１４は、表示領域５０６内に全体が配置され、表示領域５０４内に全体が配置され、複数の表示領域内に配置され、及び／又はこれらと同種の態様となり得る。図５Ｂの例においては、表示エリア５１０は、表示エリア５１２に非オーバーラップである表示エリア５１４の一部に関する。例えば、表示エリア５１０は、視認可能表示領域内にはなく、かつしたがって視認者の視線からは視認可能ではない通知表示エリアの一部に関し得る。図５Ｂの例においては、表示装置５０２の開いた構成に基づいて、視認可能表示領域５１２は、視認者の視線からはもはや涙滴形状領域としては見えず、アーチ型の三角形状領域として見える。
【０１０４】
図５Ｃは、少なくとも１つの例示実施形態によるフレキシブル表示装置の構成を示す図である。図５Ｃの例は、図５Ｄに図示した例示実施形態を再構成したものに関する。図５Ｃの例においては、表示装置５５２は、閉じた構成であり、かつ垂直方向であるフレキシブル表示装置に関する。表示装置５５２は、表示領域５５４、表示領域５５６、及び表示領域５５８を備える。表示領域５５４は非屈曲表示領域に関する。表示領域５５６は屈曲表示領域に関する。表示領域５５８は、反対側の非屈曲表示領域に関する。表示領域５５４は、表示エリア５６２及び表示エリア５６４に関連する。図５Ｃの例においては、表示エリア５６２は、表示領域５５４の視認可能表示領域に関する。表示エリア５６４は、表示領域５５４の通知表示領域に関する。図５Ｃの例においては、表示エリア５６２及び表示エリア５６４は、少なくとも部分的に互いにオーバーラップし、全体が互いにオーバーラップし、及び／又はこれらと同種の態様となっている。表示エリア５６２及び／又は表示エリア５６４は、表示領域５５６内に全体が配置され、表示領域５５４内に全体が配置され、複数の表示領域内に配置され、及び／又はこれらと同種の態様となり得る。図５Ｃの例においては、視認可能表示領域５６２は、視認者の視線からは涙滴形状領域として見え得る。
【０１０５】
図５Ｄは、少なくとも１つの例示実施形態によるフレキシブル表示装置の構成を示す図である。図５Ｄの例は、図５Ｃに図示される例示実施形態を再構成したものに関する。図５Ｄの例においては、表示装置５５２は、開いた構成のフレキシブル表示装置に関する。表示装置５５２は、表示領域５５４、表示領域５５６、及び表示領域５５８を備える。表示領域５５４は非屈曲表示領域に関する。表示領域５５６は屈曲表示領域に関する。表示領域５５８は反対側の非屈曲表示領域に関する。表示領域５５４は、表示エリア５６２及び表示エリア５６４に関連する。図５Ｄの例においては、表示エリア５６２は、表示領域５５４の視認可能表示領域に関する。表示エリア５６４は、表示領域５５４の通知表示領域に関する。図５Ｄの例においては、表示エリア５６２及び表示エリア５６４は、少なくとも部分的に互いにオーバーラップし、全体が互いにオーバーラップし、及び／又はこれらと同種の態様となっている。表示エリア５６２及び／又は表示エリア５６４は、表示領域５５６内に全体が配置され、表示領域５５４内に全体が配置され、複数の表示領域内に配置され、及び／又はこれらと同種の態様となり得る。図５Ｄの例においては、表示エリア５６０は、表示エリア５６２に非オーバーラップである表示エリア５６４の一部に関する。例えば、表示エリア５６０は、視認可能表示領域内にはなく、かつしたがって視認者の視線からは視認可能ではない通知表示エリアの一部に関し得る。図５Ｄの例においては、表示装置５５２の開いた構成に基づいて、視認可能表示領域５６２は、視認者の視線からはもはや涙滴形状領域としては見えず、アーチ型の三角形状領域として見え得る。
【０１０６】
図６Ａ〜６Ｆは、少なくとも１つの例示実施形態による通知の表現を示す図である。図６Ａ〜６Ｆの例は、単なる例示であり、特許請求の範囲を限定するものではない。例えば、視野角補正変換が変化し、湾曲補正変換が変化し、通知の表現が変化し、及び／又はこれらと同種のものが変化し得る。
【０１０７】
特定の場合においては、視認者の視線に対して最適な視野角にはないフレキシブル表示装置の一部に、及び／又は平坦ではないフレキシブル表示装置の一部に、通知を表示することが望ましい場合がある。例えば、フレキシブル表示装置の視認開口部の中を見ている視認者に視認可能である視認可能表示領域は、屈曲表示領域の一部、非屈曲表示領域の一部、及び／又はこれらと同種のものを含み得る。このような例においては、通知表示領域の視認可能な表示領域内に表示される通知は、通知の平面的な歪み及び／又は湾曲による歪みにより、視認者の視線からは判読できない場合がある。このような場合においては、そのような平面的な歪み及び／又は湾曲度の歪みを考慮した通知の表現を表示させることが望ましい場合がある。例えば、通知の表示は、伸長され、傾斜され、反った、ねじれた、湾曲した、及び／又はその他の態様で歪んでいる通知表現であって、特定の視認者の視線から視認された場合、通知の正常なテキスト投影像を投影する通知の表現に関し得る。１又は複数の例示実施形態においては、通知の表現は、フレキシブル表示装置の視野角に少なくとも部分的に基づくものである。このような例示実施形態においては、通知の表現は、通知の視野角補正変換に関し得る。通知の視野角補正変換は、曲線変換、直線変換、伸長変換、傾斜変換（skewing transformation）、非直線変換、及び／又はこれらに同種のものに関し得る。少なくとも１つの例示実施形態においては、視野角補正変換は、視認者の視線に対する通知の表現の投影平面に少なくとも部分的に基づいて決定される。例えば、視野角補正変換は、変換の後に、通知の表現がフレキシブル表示装置の表示面上ではなく投影面に当該通知を表現するように決定され得る。１又は複数の例示実施形態においては、視野角補正変換は、フレキシブル表示装置の方向に少なくとも部分的に基づくものであり得る。例えば、フレキシブル表示装置の水平方向は、所定のフレキシブル表示装置視野角の情報、所定の視野角補正変換の情報、及び／又はこれらに同種のものに関連し得る。同様に、例えば、フレキシブル表示装置の垂直方向は、異なる所定のフレキシブル表示装置視野角の情報、異なる所定の視野角補正変換の情報、及び／又はこれらに同種のものに関連し得る。このような情報は、視認者の視線に関連する情報、視認者の視線の上又は下に位置するフレキシブル表示装置に関連する情報、及び／又はこれらに同種のものに関し得る。少なくとも１つの例示実施形態においては、視野角補正変換は、フレキシブル表示装置に対する視認者の視線に少なくとも部分的に基づくものであり得る。例えば、フレキシブル表示装置の垂直方向は、視認者の視線が下から上の視線ではなく上から下への視線に関することを示す所定の情報に関連し得る。
【０１０８】
特定の場合においては、装置は、少なくとも部分的にフレキシブル表示装置の屈曲表示領域上に通知の表現を生じさせ得る。このような場合においては、そのような湾曲による歪みを考慮した通知の表現を表示させることが望ましい場合がある。例えば、通知の表現は、伸長され、傾斜され、反った、ねじれた、湾曲した、及び／又はその他の態様で歪んでいる通知の表現であって、特定の視認者の視線から視認された場合において通知の表現の湾曲による歪み考慮した通知の表現に関し得るものであり、通知の正常な投影像を投影するものである。少なくとも１つの例示実施形態において、通知の表現は、フレキシブル表示装置の湾曲度に少なくとも部分的に基づいたものであり得る。このような例示実施形態においては、通知の表現は、通知の湾曲補正変換に関し得る。１又は複数の例示実施形態においては、湾曲補正変換は、屈曲表示領域の湾曲度に少なくとも部分的に基づいたものであり得る。例えば、屈曲表示領域の湾曲度がより小さいことは、湾曲度補正変換がより小さくなることに関連し得る。同様に、例えば、屈曲表示領域の湾曲度がより大きいことは、湾曲度補正変換がより大きくなることに関連し得る。通知の湾曲度補正変換は、曲線変換、直線変換、伸長変換、傾斜変換（skewing transformation）、非直線変換、及び／又はこれらに同種のものに関し得る。少なくとも１つの例示実施形態においては、湾曲度補正変換は、視認者の視線に対する通知の表現の投影平面に少なくとも部分的に基づいて決定される。例えば、湾曲度補正変換は、変換の後に、通知の表現が、フレキシブル表示装置の表示面上ではなく投影面上に当該通知を表現するように決定され得る。少なくとも１つの例示実施形態においては、通知の表現は、フレキシブル表示装置の視野角、フレキシブル表示装置の湾曲度、フレキシブル表示装置の方向、及び／又はこれらに同種のものに少なくとも部分的に基づいたものであり得る。
【０１０９】
特定の場合においては、通知表示領域、通知表示領域のサイズ、通知表示領域の位置、及び／又は通知表示領域の形状を通知の表現に関連付けることが望ましい場合もある。例えば、通知の表現は、通知の伸長された視野角の補正変換に関し得る。通知表示領域内に表示される通知の表現に少なくとも部分的に基づいて通知表示領域を修正することが望ましい場合もある。少なくとも１つの例示実施形態においては、通知表示領域は、通知の視野角補正変換に関し得る。同様に、１又は複数の例示実施形態においては、通知表示領域は、通知の湾曲度補正変換に関する。少なくとも１つの例示実施形態においては、通知表示領域の位置は、通知の視野角補正変換、通知の湾曲度補正変換、及び／又はこれらに同種のものに関する。例えば、通知表示領域の位置は、フレキシブル表示装置視野角、フレキシブル表示装置湾曲度、及び／又はこれらに同種のものに少なくとも部分的に基づくものであり得る。同様に、通知表示領域の形状は、通知の視野角補正変換、通知の湾曲度補正変換、及び／又はこれらに同種のものに関する。例えば、通知表示領域の形状は、フレキシブル表示装置視野角、フレキシブル表示装置湾曲度、及び／又はこれらに同種のものに少なくとも部分的に基づくものであり得る。フレキシブル表示装置視野角がより小さいことは、高度にアーチ形状となった上部境界を有する通知表示領域がより大きいことに関連し得る。フレキシブル表示装置の視野角がより大きいことは、より低度にアーチ形状となった上部境界を有する通知表示領域がより小さいことに関連し得る。通知表示領域、通知表示領域の位置、及び通知表示領域の形状は、図５Ａ〜５Ｄに関して記載した通りと同様であり得る。
【０１１０】
図６Ａは、少なくとも１つの例示実施形態による通知の表現を示す図である。図６Ａの例においては、表示領域６０４は非屈曲表示領域に関する。表示領域６０６は屈曲した構成の屈曲表示領域に関する。セグメント６０８、セグメント６１０、セグメント６１２、セグメント６１４、及びセグメント６１６は、投影面６２０の同じ長さのセグメントに関する。セグメント６０９、セグメント６１１、セグメント６１３、セグメント６１５、及びセグメント６１７は、表示面６２１の各種長さのセグメントに関する。図６Ａの例においては、投影面セグメント６０８は表示面セグメント６０９によって表され、投影面セグメント６１０は表示面セグメント６１１によって表され、投影面セグメント６１２は表示面セグメント６１３によって表され、投影面セグメント６１４は表示面セグメント６１５によって表され、投影面セグメント６１６は表示面セグメント６１７によって表される。図６Ａの例においては、各種投影面セグメント及び関連する代表表示面セグメントは、通知の湾曲補正変換に関する。通知の表現の湾曲補正された投影像が、投影面６２０上に、視認者に対して投影されるように、通知の表現が表示面６２１上に表示される。
【０１１１】
図６Ｂは、少なくとも１つの例示実施形態による通知の表現を示す図である。図６Ｂの例は、図６Ａに関して記載した通りと同様に投影面６２０に関する。図６Ｂの例においては、セグメント６０８、セグメント６１０、セグメント６１２、セグメント６１４、及びセグメント６１６のそれぞれは、通知の表現の投影像の一部に関する。図６Ｂの例においては、セグメントサイズが変化し、セグメント数が変化し、投影面の寸法及び／若しくは比率が変化し、並びに／又は同種のものが変化し得る。
【０１１２】
図６Ｃは、少なくとも１つの例示実施形態による通知の表現を示す図である。図６Ｃの例は、図６Ａに関して記載した通りと同様に表示面６２１に関するものであり、図６Ｂの投影面６２０と関連するものである。図６Ｃの例においては、セグメント６０９、セグメント６１１、セグメント６１３、セグメント６１５、及びセグメント６１７のそれぞれは、通知の表示された表現を包含するフレキシブル表示装置の通知表示領域の一部に関するものであり、図６Ａ及び６Ｂそれぞれのセグメント６０８、セグメント６１０、セグメント６１２、セグメント６１４、及びセグメント６１６のそれぞれに関連するものである。図６Ｃの例においては、湾曲補正変換がセグメント６０９に適用されており、その結果、通知の傾斜した及び／又は伸長した表現が生じている。表示面６２１のセグメント６０９は、視認者の視線に対して投影された場合、投影面６２０のセグメント６０８に相関する。図６Ｃの例において、セグメントサイズは変化し、セグメント数は変化し、表示面の寸法及び／若しくは比率は変化し、並びに／又は同種のものが変化し得る。図６Ｃの例においては、５個の別々のセグメントのみが特定されているが、湾曲補正変換は、連続様式及び／又は直線様式で適用され得る。
【０１１３】
図６Ｄは、少なくとも１つの例示実施形態による通知の表現を示す図である。図６Ｄの例においては、表示装置６５２は、フレキシブル表示装置の少なくとも一部に関する。視線６５４は、表示装置６５２に対する視認者の視点に関する。視線６５４は、角６５６に関連するものである。角６５６は、表示装置６５２及び表示面６６１に対するフレキシブル表示装置の視野角に関するものであり、表示面６６１と交わっている視線６５４の任意の部分に関連し得る。投影面６６０は、表示装置６５２上に表示される通知の表現が投影される面に関する。投影面６６０は、視認者の視線６５４に関連するものである。図６Ｄの例においては、距離６６２は、投影面６６０における視認者の視線の総高に関する。距離６６３は、表示装置６５２の通知表示領域の視認可能表示領域の総高に関する。図６Ｄの例においては、距離６６２は、表示装置６５２上に表示される通知の表現が投影面６２０上に当該通知を正確に投影するような距離６６３に関する。通知の表現は、通知の表現の視野角が補正された投影像が、投影面６６０上で視認者に対して投影されるように、表示面６６１上に表示される。図６Ｄの例においては、距離６６４と距離６６６とは、距離６６２における距離が等しい部分に関する。距離６６５と距離６６７とは距離６６３における距離が等しくない部分に関する。距離６６４は、距離６６５内に表示される通知の表現の一部が距離６６４の投影像に対応するような距離６６５に関する。同様に、距離６６６は、距離６６７内に表示される通知の表現の一部が距離６６６の投影像に対応するような距離６６７に関する。
【０１１４】
図６Ｅは、少なくとも１つの例示実施形態による通知の表現を示す図である。図６Ｅの例は、図６Ｄに関して記載した通りと同様に投影面６６０に関する。図６Ｅの例においては、距離６６４及び距離６６６はそれぞれ、距離６６２の２分の１に関する。距離６６２は、通知の表現の投影像の高さ、視認者の視線に対する視認開口部の高さ、及び／又はこれらに同種のものに関する。図６Ｅの例においては、通知の表現は、通知が判読可能となり及び／又は視認者の視線からの視認角の歪みに対して補正され得るように投影面６６０に投影されている。
【０１１５】
図６Ｆは、少なくとも１つの例示実施形態による通知の表現を示す図である。図６Ｆの例は、図６Ｄに関して記載した通りと同様に表示面６６１に関するものである。図６Ｆの例においては、距離６６３は、通知表示領域の高さ、視認可能表示領域の高さ、通知の表現の高さ、及び／又はこれらと同種のものに関する。距離６６３は、距離６６５と距離６６７とを含む。距離６６５は、図６Ｅの距離６６４に関し、距離６６７は、図６Ｅの距離６６６に関する。図６Ｆの例においては、視認角補正変換が適用され、通知の傾斜され及び／又は伸長された表現が生じている。表示面６６１の距離６６５は、視認者の視線に対して投影された場合、投影面６６０の距離６６４に相関する。同様に、表示面６６１の距離６６７は、視認者の視線に対して投影された場合、投影面６６０の距離６６６に相関する。図６Ｆの例においては、距離が変化し、距離の数が変化し、表示面の寸法及び／若しくは比率が変化し、並びに／又はこれらと同種のものが変化し得る。図６Ｆの例においては、２つの別々の距離のみが特定されているが、視認角補正変換が、連続様式及び／又は直線様式で適用され得る。
【０１１６】
図７は、少なくとも１つの例示実施形態による通知を表示させることに関連する作業を図示するフロー図である。少なくとも１つの例示実施形態においては、図７の作業に対応する操作のセットがある。装置、例えば図１の電子装置１０又はその一部は、当該操作のセットを利用し得る。装置は、例えば図１のプロセッサ１１を含む手段等、前記操作の実行のための手段を備える。例示実施形態においては、装置、例えば図１の電子装置１０は、図１のプロセッサ１１等のプロセッサと共に動作して装置に図７の操作セットを実行させるように構成されたコンピュータコードを備えた、例えば図１のメモリ１２等のメモリを有することによって変換される。
【０１１７】
ブロック７０２において、装置は、図２Ａ〜２Ｂ及び図３Ａ〜３Ｃに関して記載した通りと同様に非屈曲表示領域と反対側の非屈曲表示領域との間に屈曲表示領域を備えるフレキシブル表示装置が閉じた構成で構成されていることを決定する。
【０１１８】
ブロック７０４において、装置は、図５Ａ〜５Ｄに関して記載した通りと同様に通知を表示させることを決定する。
【０１１９】
ブロック７０６において、装置は、図５Ａ〜５Ｄに関して記載した通りと同様に閉じた構成に少なくとも部分的に基づいて通知表示領域を決定する。
【０１２０】
ブロック７０８において、装置は、図５Ａ〜５Ｄ及び図６Ａ〜６Ｆに関して記載した通りと同様に通知表示領域に通知の表現を表示させる。
【０１２１】
図８は、少なくとも１つの例示実施形態による通知を表示させることに関連する作業を図示するフロー図である。少なくとも１つの例示実施形態においては、図８の作業に対応する操作のセットがある。装置、例えば図１の電子装置１０又はその一部は、当該操作のセットを利用し得る。装置は、例えば図１のプロセッサ１１を含む手段等、前記操作の実行のための手段を備える。例示実施形態においては、装置、例えば図１の電子装置１０は、図１のプロセッサ１１等のプロセッサと共に動作して装置に図８の操作セットを実行させるように構成されたコンピュータコードを備えた、例えば図１のメモリ１２等のメモリを有することによって変換される。
【０１２２】
ブロック８０２において、装置は、図７のブロック７０２に関して記載した通りと同様に非屈曲表示領域と反対側の非屈曲表示領域との間に屈曲表示領域を備えるフレキシブル表示装置が閉じた構成で構成されていることを決定する。
【０１２３】
ブロック８０４において、装置は、図７のブロック７０４に関して記載した通りと同様に通知を表示させることを決定する。
【０１２４】
ブロック８０６において、装置は、図７のブロック７０６に関して記載した通りと同様に閉じた構成に少なくとも部分的に基づいて通知表示領域を決定する。
【０１２５】
ブロック８０８において、装置は、図７のブロック７０８に関して記載した通りと同様に通知表示領域に通知の表現を表示させる。
【０１２６】
ブロック８１０において、装置は、図３Ａ〜３Ｃに関して記載した通りと同様にフレキシブル表示装置の構成が開いた構成に変化したことを決定する。
【０１２７】
ブロック８１２において、装置は、図５Ａ〜５Ｄに関して記載した通りと同様に少なくとも部分的に前記開いた構成に基づいて通知表示領域の修正を生じさせる。
【０１２８】
図９は、少なくとも１つの例示実施形態による通知を表示させることに関連する作業を図示するフロー図である。少なくとも１つの例示実施形態においては、図９の作業に対応する操作のセットがある。装置、例えば図１の電子装置１０又はその一部は、当該操作のセットを利用し得る。装置は、例えば図１のプロセッサ１１を含む手段等、前記操作の実行のための手段を備える。例示実施形態においては、装置、例えば図１の電子装置１０は、図１のプロセッサ１１等のプロセッサと共に動作して装置に図９の操作セットを実行させるように構成されたコンピュータコードを備えた、例えば図１のメモリ１２等のメモリを有することによって変換される。
【０１２９】
ブロック９０２において、装置は、図７のブロック７０２に関して記載した通りと同様に非屈曲表示領域と反対側の非屈曲表示領域との間に屈曲表示領域を備えるフレキシブル表示装置が閉じた構成で構成されていることを決定する。
【０１３０】
ブロック９０４において、装置は、図７のブロック７０４に関して記載した通りと同様に通知を表示させることを決定する。
【０１３１】
図９０６において、装置は、図４Ａ〜４Ｂに関して記載した通りと同様にフレキシブル表示装置の視野角を決定する。
【０１３２】
ブロック９０８において、装置は、図７のブロック７０６に関して記載した通りと同様に少なくとも部分的に閉じた構成に基づいて通知表示領域を決定する。
【０１３３】
ブロック９１０において、装置は、図４Ａ〜４Ｂ及び図６Ａ〜６Ｆに関して記載した通りと同様に通知表示領域に通知の表現を表示させるが、当該通知の表現は、少なくとも部分的にフレキシブル表示装置の視野角に基づいたものである。
【０１３４】
図１０は、少なくとも１つの例示実施形態による通知を表示させることに関連する作業を図示するフロー図である。少なくとも１つの例示実施形態においては、図１０の作業に対応する操作のセットがある。装置、例えば図１の電子装置１０又はその一部は、当該操作のセットを利用し得る。装置は、例えば図１のプロセッサ１１を含む手段等、前記操作の実行のための手段を備える。例示実施形態においては、装置、例えば図１の電子装置１０は、図１のプロセッサ１１等のプロセッサと共に動作して装置に図１０の操作セットを実行させるように構成されたコンピュータコードを備えた、例えば図１のメモリ１２等のメモリを有することによって変換される。
【０１３５】
ブロック１００２において、装置は、図７のブロック７０２に関して記載した通りと同様に非屈曲表示領域と反対側の非屈曲表示領域との間に屈曲表示領域を備えるフレキシブル表示装置が閉じた構成で構成されていることを決定する。
【０１３６】
ブロック１００４において、装置は、図７のブロック７０４に関して記載した通りと同様に通知を表示させることを決定する。
ブロック１００６において、装置は、図３Ａ〜３Ｃに関して記載した通りと同様にフレキシブル表示装置の湾曲度を決定する。
【０１３７】
ブロック１００８において、装置は、図７のブロック７０６に関して記載した通りと少なくとも部分的に同様に閉じた構成に基づいて通知表示領域を決定する。
【０１３８】
ブロック１０１０において、装置は、図３Ａ〜３Ｃ及び図６Ａ〜６Ｆに関して記載した通りと同様に通知表示領域に通知の表現を表示させるが、当該通知の表現は、フレキシブル表示装置の湾曲度に少なくとも部分的に基づいたものである。
【０１３９】
図１１は、少なくとも１つの例示実施形態による通知を表示させることに関連する作業を図示するフロー図である。少なくとも１つの例示実施形態においては、図１１の作業に対応する操作のセットがある。装置、例えば図１の電子装置１０又はその一部は、当該操作のセットを利用し得る。装置は、例えば図１のプロセッサ１１を含む手段等、前記操作の実行のための手段を備える。例示実施形態においては、装置、例えば図１の電子装置１０は、図１のプロセッサ１１等のプロセッサと共に動作して装置に図１１の操作セットを実行させるように構成されたコンピュータコードを備えた、例えば図１のメモリ１２等のメモリを有することによって変換される。
【０１４０】
ブロック１１０２において、装置は、図７のブロック７０２に関して記載した通りと同様に非屈曲表示領域と反対側の非屈曲表示領域との間に屈曲表示領域を備えるフレキシブル表示装置が閉じた構成で構成されていることを決定する。
【０１４１】
ブロック１１０４において、装置は、図７のブロック７０４に関して記載した通りと同様に通知を表示させることを決定する。
【０１４２】
ブロック１１０６において、装置は、図９のブロック９０６に関して記載した通りと同様にフレキシブル表示装置の視野角を決定する。
【０１４３】
ブロック１１０８において、装置は、図１０のブロック１００６に関して記載した通りと同様にフレキシブル表示装置の湾曲度を決定する。
【０１４４】
ブロック１１１０において、装置は、図７のブロック７０６に関して記載した通りと同様に少なくとも部分的に閉じた構成に基づいて通知表示領域を決定する。
【０１４５】
ブロック１０１２において、装置は、図３Ａ〜３Ｃ、図４Ａ〜４Ｂ及び図６Ａ〜６Ｆに関して記載した通りと同様に通知表示領域に通知の表現を表示させるが、当該通知の表現は、フレキシブル表示装置の視野角及びフレキシブル表示装置の湾曲度に少なくとも部分的に基づいたものである。
【０１４６】
図１２Ａ〜１２Ｄは、少なくとも１つの例示実施形態によるフレキシブル表示装置の構成を示す図である。図１２Ａ〜１２Ｄの例は、単なる例示であり、特許請求の範囲を限定するものではない。例えば、フレキシブル表示装置の設計、比率、及び／若しくは寸法は変化し、フレキシブル表示装置の構成及び／若しくは方向は変化し、フレキシブル表示装置の屈曲度及び湾曲度は変化し、並びに／又はこれらと同種のものが変化し得る。
【０１４７】
特定の場合においては、フレキシブル表示装置のユーザにとって、フレキシブル表示装置を開いた構成に構成することなく、フレキシブル表示装置の少なくとも一部を露出することが望ましい場合がある。例えば、ユーザは、フレキシブル表示装置を、実質的に閉じた構成を保持している間に、一瞥できることが望まれる場合がある。例えば、社会環境又は教育環境において、フレキシブル表示装置の一部を露出し、通知、メッセージ及び／又はこれらと同種のものをチェックするためにフレキシブル装置を単に一瞥し得ることが望ましい場合がある。少なくとも１つの例示実施形態においては、フレキシブル表示装置の閉じた構成が、フレキシブル表示装置の全ての部分が実質的にオーバーラップし、フレキシブル表示装置の視認しにくくする構成に関する。１又は複数の実施形態においては、フレキシブル表示装置の異なる閉じた構成は、非屈曲表示領域の少なくとも一部が、反対側の非屈曲表示領域とオーバーラップしないようなフレキシブル表示装置の構成に関する。このような表示領域は、非オーバーラップ領域に関連し得る。１又は複数の例示実施形態においては、非屈曲表示領域が反対側の非屈曲表示領域に対して非オーバーラップであるということは、反対側の非屈曲表示領域と交わらない幾何学的法線を有する非屈曲表示領域の一部が存在することに関する。例えば、非屈曲表示領域の一部は、その部分の幾何学的法線が反対側の非屈曲表示領域と交わる場合にオーバーラップする。同様に、非屈曲表示領域の一部は、その部分の幾何学的法線が反対側の非屈曲表示領域と交わらない場合にオーバーラップしない。１又は複数の例示実施形態においては、フレキシブル表示装置が異なる閉じた構成で構成されていることの決定は、屈曲表示領域の湾曲度、近接センサー情報、光センサー情報、及び／又はこれらに同種のものに少なくとも基づくものである。近接センサー情報は、磁石センサー情報、レーダーセンサー情報、及び／又はこれらに同種のものに関し得る。異なる閉じた位置におけるフレキシブル表示装置の構成は、フレキシブル表示装置の非オーバーラップ領域の露出に関連し得る。特定の場合においては、通知、メッセージ、及び／又はこれらに同種のものの表示のためにフレキシブル表示装置の前記非オーバーラップ領域を利用することが望ましい場合がある。少なくとも１つの例示実施形態においては、異なる通知表示領域が、異なる閉じた構成で構成されたフレキシブル表示装置の非オーバーラップ領域に少なくとも部分的に基づいて決定される。１又は複数の例示実施形態においては、通知の表現は、フレキシブル表示装置の非オーバーラップ領域内に表示される。特定の場合においては、フレキシブル表示装置は、閉じた構成に構成され、フレキシブル表示装置の通知表示領域の視認可能表示領域に通知の表現を表示し得る。特定の場合においては、フレキシブル表示装置の特定の閉じた構成から異なる閉じた構成への再構成に基づいて、異なる通知の表現が、フレキシブル表示装置の非オーバーラップ領域に関連する異なる通知表示領域に表示され得る。
【０１４８】
図１２Ａは、少なくとも１つの例示実施形態によるフレキシブル表示装置の構成を示す図である。図１２Ａの例においては、表示装置１２０２は、異なる閉じた構成で構成されたフレキシブル表示装置に関する。表示装置１２０２は、表示領域１２０４、表示領域１２０６、及び表示領域１２０８を備える。表示領域１２０４は非屈曲表示領域に関する。表示領域１２０６は屈曲表示領域に関する。表示領域１２０８は反対側の非屈曲表示領域に関する。図１２Ａの例においては、表示領域１２０６は、非対称的に傾斜されており、少なくとも表示エリア１２１０及び表示エリア１２１２を露出している。表示エリア１２１０及び表示エリア１２１２は、表示装置１２０２の非表示領域に関する。図１２Ａの例においては、視認者の視線から視認可能である表示エリア１２１０及び表示エリア１２１２に加えて、表示装置１２０２の追加の非オーバーラップ領域が存在し得る。表示エリア１２１０及び／又は表示エリア１２１２は、１又は複数の通知表示領域に関連し得る。表示エリア１２１０及び表示エリア１２１２のサイズ、形状及び位置は、表示領域１２０６の傾斜に少なくとも部分的に基づいて変化し得る。
【０１４９】
図１２Ｂは、少なくとも１つの例示実施形態によるフレキシブル表示装置の構成を示す図である。図１２Ｂの例においては、表示装置１２２２は、異なる閉じた構成で構成されたフレキシブル表示装置に関する。表示装置１２２２は、表示領域１２２４、表示領域１２２６、及び表示領域１２２８を備える。表示領域１２２４は非屈曲表示領域に関する。表示領域１２２６は屈曲表示領域に関する。表示領域１２２８は反対側の非屈曲表示領域に関する。図１２Ｂの例においては、表示領域１２２６は、対称的に傾斜されており、少なくとも表示エリア１２３０を露出している。表示エリア１２３０は、表示装置１２２２の非オーバーラップ領域に関する。図１２Ｂの例においては、視認者の視線から視認可能である表示エリア１２３０に加えて、表示装置１２２２の追加の非オーバーラップ領域が存在し得る。表示エリア１２３０は、１又は複数の通知表示領域に関連し得る。表示エリア１２３０のサイズ、形状及び位置は、表示領域１２２６の傾斜に少なくとも部分的に基づいて変化し得る。
【０１５０】
図１２Ｃは、少なくとも１つの例示実施形態によるフレキシブル表示装置の構成を示す図である。図１２Ｃの例においては、表示装置１２４２は、異なる閉じた構成で構成されたフレキシブル表示装置に関する。表示装置１２４２は、表示領域１２４４、表示領域１２４６、及び表示領域１２４８を備える。表示領域１２４４は非屈曲表示領域に関する。表示領域１２４６は屈曲表示領域に関する。表示領域１２４８は反対側の非屈曲表示領域に関する。図１２Ｃの例においては、表示領域１２４６は、傾斜されており、少なくとも表示エリア１２５４を露出している。図１２Ｃの例においては、表示領域１２４６の傾斜は、角１２５０及び角１２５２に関連する。角１２５０と角１２５２との比は、表示エリア１２５４の決定、非対称的傾斜の決定、対称的傾斜の決定、及び／又はこれらに同種のものに関連し得る。表示エリア１２５４は、表示装置１２４２の非オーバーラップ領域に関する。図１２Ｃの例においては、視認者の視線から視認可能である表示エリア１２５４に加えて、表示装置１２４２の追加の非オーバーラップ領域が存在し得る。表示エリア１２５４は、１又は複数の通知表示領域に関連し得る。表示エリア１２５４のサイズ、形状及び位置は、表示領域１２４６の傾斜に少なくとも部分的に基づいて変化し得る。
【０１５１】
図１２Ｄは、少なくとも１つの例示実施形態によるフレキシブル表示装置の構成を示す図である。図１２Ｄの例においては、表示装置１２６２は、異なる閉じた構成で構成されたフレキシブル表示装置に関する。表示装置１２６２は、表示領域１２６４、表示領域１２６６、及び表示領域１２６８を備える。表示領域１２６４は非屈曲表示領域に関する。表示領域１２６６は屈曲表示領域に関する。表示領域１２６８は反対側の非屈曲表示領域に関する。図１２Ｄの例においては、表示領域１２６６は、対称的に傾斜されており、少なくとも表示エリア１２７０を露出している。表示エリア１２７０は、表示装置１２６２の非オーバーラップ領域に関する。図１２Ｄの例においては、表示エリア１２７０は、表示装置１２６２の一部に対して非交差の幾何学的法線１２７２に関連する。例えば、幾何学的法線１２７２は、表示領域１２６８と交差しておらず、したがって表示装置１２６２の非オーバーラップ領域に関連する。あるいは、表示装置１２６２の非オーバーラップ部分は、表示装置１２６２の一部と交差する幾何学的法線１２７４に関連し得る。例えば、幾何学的法線１２７４は、表示領域１２６８と交差し、したがって表示装置１２６２のオーバーラップ領域に関連する。
【０１５２】
図１３は、少なくとも１つの例示実施形態による通知を表示させることに関連する作業を図示するフロー図である。少なくとも１つの例示実施形態においては、図１３の作業に対応する操作のセットがある。装置、例えば図１の電子装置１０又はその一部は、当該操作のセットを利用し得る。装置は、例えば図１のプロセッサ１１を含む手段等、前記操作の実行のための手段を備える。例示実施形態においては、装置、例えば図１の電子装置１０は、図１のプロセッサ１１等のプロセッサと共に動作して装置に図１３の操作セットを実行させるように構成されたコンピュータコードを備えた、例えば図１のメモリ１２等のメモリを有することによって変換される。
【０１５３】
ブロック１３０２において、図３Ａ〜３Ｃ及び図１２Ａ〜１２Ｄに関して記載した通りと同様に非屈曲表示領域と反対側の非屈曲表示領域との間に屈曲表示領域を備えるフレキシブル表示装置が閉じた構成で構成されており、その結果、前記非屈曲表示領域が、該非屈曲表示領域の少なくとも一部と相関する少なくとも１つの非オーバーラップ領域を含むことを決定する、但し、前記非屈曲表示領域の少なくとも一部は、前記反対側の非屈曲表示領域に対して非オーバーラップである。
【０１５４】
ブロック１３０４において、装置は、図７のブロック７０４に関して記載した通りと同様に通知を表示させることを決定する。
【０１５５】
ブロック１３０６において、装置は、図１２Ａ〜１２Ｄに関して記載した通りと同様に少なくとも部分的に前記非オーバーラップ領域に基づいて通知表示領域を決定する。
【０１５６】
ブロック１３０８において、装置は、図５Ａ〜５Ｄ及び図１２Ａ〜１２Ｄに関して記載した通りと同様に前記通知表示領域に通知の表現を表示させる。
【０１５７】
図１４は、少なくとも１つの例示実施形態による通知を表示させることに関連する作業を図示するフロー図である。少なくとも１つの例示実施形態においては、図１４の作業に対応する操作のセットがある。装置、例えば図１の電子装置１０又はその一部は、当該操作のセットを利用し得る。装置は、例えば図１のプロセッサ１１を含む手段等、前記操作の実行のための手段を備える。例示実施形態においては、装置、例えば図１の電子装置１０は、図１のプロセッサ１１等のプロセッサと共に動作して装置に図１４の操作セットを実行させるように構成されたコンピュータコードを備えた、例えば図１のメモリ１２等のメモリを有することによって変換される。
【０１５８】
ブロック１４０２において、図７のブロック７０２に関して記載した通りと同様に非屈曲表示領域と反対側の非屈曲表示領域との間に屈曲表示領域を備えるフレキシブル表示装置が閉じた構成で構成されていることを決定する。
【０１５９】
ブロック１４０４において、装置は、図７のブロック７０４に関して記載した通りと同様に通知を表示させることを決定する。
【０１６０】
ブロック１４０６において、装置は、図７のブロック７０６に関して記載した通りと同様に少なくとも部分的に前記閉じた構成に基づいて通知表示領域を決定する。
【０１６１】
ブロック１４０８において、装置は、図７のブロック７０８に関して記載した通りと同様に通知表示領域に前記通知の表現を表示させる。
【０１６２】
ブロック１４１０において、図１２Ａ〜１２Ｄに関して記載した通りと同様に前記フレキシブル表示装置が異なる閉じた構成で構成されており、その結果、前記非屈曲表示領域が、該非屈曲表示領域の少なくとも一部と相関する少なくとも１つの非オーバーラップ表示領域を含むことを決定する、但し、前記非屈曲表示領域の少なくとも一部は、反対側の非屈曲表示領域に対して非オーバーラップである。
【０１６３】
ブロック１４１２において、装置は、図５Ａ〜５Ｄに関して記載した通りと同様に別の通知を表示させることを決定する。
【０１６４】
ブロック１４１４において、装置は、図１２Ａ〜１２Ｄに関して記載した通りと同様に少なくとも部分的に前記非オーバーラップ領域に基づいて異なる通知表示領域を決定する。
【０１６５】
ブロック１４１６おいて、装置は、図５Ａ〜５Ｄ及び１２Ａ〜１２Ｄに関して記載した通りと同様に前記異なる通知表示領域に前記他の通知の異なる表現を表示させる。
【０１６６】
本発明の実施形態は、ソフトウェア、ハードウェア、アプリケーション論理、又はソフトウェア、ハードウェア及びアプリケーション論理の組合せにおいて実装され得る。ソフトウェア、アプリケーション論理、及び／又はハードウェアは、装置、別のデバイス、又は複数の別のデバイスに存在し得る。必要に応じて、フトウェア、アプリケーション論理、及び／又はハードウェアの一部が、装置に存在し、アプリケーション論理及び／又はハードウェアの一部が別のデバイスに存在し、ソフトウェア、アプリケーション論理、及び／又はハードウェアの一部が、複数の別のデバイスに存在し得る。例示実施形態において、アプリケーション論理、ソフトウェア又は命令セットが、各種従来のコンピュータ可読媒体の何れか一つの上に維持される。
【０１６７】
必要に応じて、本明細書に記載される異なる機能が、異なる順序及び／又は互いに同時に実行され得る。例えば、図９のブロック９０４は、図９のブロック９０６の後に実行され得る。さらに、必要に応じて、前述の機能の１又は複数は任意としてもよく、又は組合せてもよい。例えば、図１１のブロック１１０６が、任意とし、及び／又は図１１のブロック１１０８と組み合わせてもよい。
【０１６８】
本発明の各種態様は、独立項に記載されており、その他本発明の態様は、記載した実施形態及び／又は従属項の特徴と独立項の特徴との組合せを含み、特許請求の範囲に明示的に記載した組合せのみではない。
【０１６９】
また、上記は本発明の例示実施形態を記載するものであるが、それらの記載は、限定的な意味に捉えてはならない。むしろ、添付の特許請求の範囲に規定される本発明の要旨から逸脱することなく為され得る変形及び修正が存在する。
【図１】
0006356802.tif 000002
【図２】
0006356802.tif 000003
【図３】
0006356802.tif 000004
【図４】
0006356802.tif 000005
【図５ＡＢ】
0006356802.tif 000006
【図５ＣＤ】
0006356802.tif 000007
【図６】
0006356802.tif 000008
【図７】
0006356802.tif 000009
【図８】
0006356802.tif 000010
【図９】
0006356802.tif 000011
【図１０】
0006356802.tif 000012
【図１１】
0006356802.tif 000013
【図１２ＡＢ】
0006356802.tif 000014
【図１２ＣＤ】
0006356802.tif 000015
【図１３】
0006356802.tif 000016
【図１４】
0006356802.tif 000017